(57)【特許請求の範囲】
【請求項１】
ＳＭＦエンティティに応用されるデータ中継方法において、
ＡＭＦエンティティまたはＰＧＷ−Ｃ＋ＳＭＦエンティティから送信されるＥＰＳベアラー情報とＰＤＵセッション情報のマッピング関係を受信するステップと、
前記ＥＰＳベアラー情報とＰＤＵセッション情報のマッピング関係に基づいて、データ転送トンネルを設定するステップとを含む、データ中継方法。
【請求項２】
データが５ＧシステムからＬＴＥシステムに転送される場合、
前記ＥＰＳベアラー情報とＰＤＵセッション情報のマッピング関係は、
転送データの受信が行われるＥＰＳベアラーのＩＤとＰＤＵセッションのＱｏＳフローのＩＤのマッピング関係であり、
前記ＥＰＳベアラー情報とＰＤＵセッション情報のマッピング関係に基づいて、データ転送トンネルを設定するステップは、
ＵＰＦ（Ｕｓｅｒ  Ｐｌａｎｅ  Ｆｕｎｃｔｉｏｎ）エンティティを選択するステップと、
データ転送用のコアネットワークトンネルＩＤをＰＤＵセッションに割り当て、前記ＵＰＦエンティティとデータ転送用のＳＧＷ（Ｓｅｒｖｉｎｇ  Ｇａｔｅ  Ｗａｙ）との間の転送トンネルと、前記ＵＰＦエンティティと５ＧシステムのＮＧ  ＲＡＮとの間のＰＤＵセッショントンネルを設定するステップと、
前記転送データの受信が行われるＥＰＳベアラーのＩＤとＰＤＵセッションのＱｏＳフローのＩＤのマッピング関係に基づいて、前記ＰＤＵセッションのＱｏＳフローを前記転送データの受信が行われるＥＰＳベアラーに対応する転送トンネルにバインディングし、前記ＵＰＦエンティティによってパケットのＱｏＳフローのＩＤに基づいて前記パケットを正しいＥＰＳベアラーの転送トンネルに転送可能にするステップとを含む、請求項１に記載の方法。
【請求項３】
データがＬＴＥシステムから５Ｇシステムに転送される場合、
前記ＥＰＳベアラー情報とＰＤＵセッション情報のマッピング関係は、
転送データの受信が行われるＰＤＵセッションのＩＤおよび前記ＰＤＵセッションのうち関連ＱｏＳフローのＩＤとＥＰＳベアラーのＩＤのマッピング関係であり、
前記ＥＰＳベアラー情報とＰＤＵセッション情報のマッピング関係に基づいて、データ転送トンネルを設定するステップは、
ＵＰＦエンティティを選択するステップと、
データ転送用のトンネルエンドポイントＩＤをＥＰＳベアラーに割り当て、前記ＵＰＦエンティティと５ＧシステムのＮＧ  ＲＡＮとのＰＤＵセッショントンネルを設定するステップと、
前記転送データの受信が行われるＰＤＵセッションのＩＤおよび前記ＰＤＵセッションのうち関連ＱｏＳフローのＩＤとＥＰＳベアラーのＩＤのマッピング関係に基づいて、前記ＥＰＳベアラーを前記転送データの受信が行われるＰＤＵセッションに対応する転送トンネルにバインディングし、前記ＵＰＦエンティティによって、前記ＥＰＳベアラーのトンネルから受信したパケットに正しいＱｏＳフローのＩＤを付与して、正しいＰＤＵセッションの転送トンネルに転送可能にするステップとを含む、請求項１に記載の方法。
【請求項４】
ＳＭＦエンティティに応用されるデータ中継装置において、
ＡＭＦエンティティまたはＰＧＷ−Ｃ＋ＳＭＦエンティティから送信されるＥＰＳベアラー情報とＰＤＵセッション情報のマッピング関係を受信する受信モジュールと、
前記ＥＰＳベアラー情報とＰＤＵセッション情報のマッピング関係に基づいて、データ転送トンネルを設定する設定モジュールとを含む、データ中継装置。
【発明の詳細な説明】
【技術分野】
【０００１】
本願は、２０１７年６月１５日に中国特許庁に提出された中国特許出願２０１７１０４５３８８９．２の優先権、および２０１７年６月１６日に中国特許庁に提出された中国特許出願２０１７１０４５８６５９．５の優先権を主張し、その全ての内容が援用によりここに取り込まれる。
本開示の実施例は、通信技術分野に係り、特にデータ中継方法、装置、ネットワーク機能エンティティおよびＳＭＦエンティティに係る。
【背景技術】
【０００２】
現在、５Ｇ（５ｔｈ  Ｇｅｎｅｒａｔｉｏｎ）の正常の稼働を保証するために、５Ｇネットワークにおいて、汎用の移動通信技術のＬＴＥ（登録商標）（Ｌｏｎｇ  Ｔｅｒｍ  Ｅｖｏｌｕｔｉｏｎ）ネットワークとの相互操作をサポートする必要がある。相互操作方式の１つであるシングル登録モードは、５ＧネットワークとＬＴＥネットワークとの間におけるＵＥ（Ｕｓｅｒ  Ｅｑｕｉｐｍｅｎｔ）のｉｎｔｅｒ−ＲＡＴ切り替えを可能にする。切り替えプロセスにおいて、５Ｇネットワークのデータ伝送方式がＬＴＥネットワークのデータ伝送方式とは異なるため、異なるシステムの間でデータ転送が行われる場合、データ転送をサポートするコアネットワーク機能エンティティが、１つのシステムから受信したデータを別のシステムの伝送路に正しくマッピングできることが求められる。現在の相互操作手段において、ＰＧＷ−ＵとＵＰＦを同時にサポートするＰＧＷ−Ｕ＋ＵＰＦエンティティによってデータ転送を完成させる。しかし、このような、転送データをＰＧＷ−Ｕ＋ＵＰＦエンティティまでルーティングする方法は、冗長なデータルーティングになり、データ転送の遅延を増加させる。
【０００３】
現在、５ＧネットワークとＬＴＥネットワークの相互操作シーンにおいて、ＰＧＷ−Ｕ＋ＵＰＦエンティティをデータ中継ノードとするため、セッションのアンカーポイントから配信されるデータをまずアンカーポイントまで再びルーティングしてから目標基地局に転送することが求められる。よって、従来の相互操作シーンのデータ中継方法は、特にホームルーティングを用いたローミングシーンにおいて、転送データの伝送冗長になり、データ転送の遅延が大きく、転送データの伝送効率が低い。
【発明の概要】
【発明が解決しようとする課題】
【０００４】
本開示の実施例の目的は、従来の相互操作シーンのデータ中継方法では転送データの伝送が冗長になり、データ転送の遅延が大きいという技術問題を解決するために、データ中継方法、装置、ネットワーク機能エンティティおよびＳＭＦエンティティを提供することにある。
【課題を解決するための手段】
【０００５】
第１方面において、本開示の実施例は、ネットワーク機能エンティティに応用されるデータ中継方法を提供する。当該方法において、ＥＰＳベアラー情報とＰＤＵセッション情報のマッピング関係を取得するステップと、前記ＥＰＳベアラー情報とＰＤＵセッション情報のマッピング関係を前記ＳＭＦエンティティに送信し、前記ＳＭＦエンティティによって、前記ＥＰＳベアラー情報とＰＤＵセッション情報のマッピング関係に基づいてデータ転送トンネルを設定するステップとを含む。
【０００６】
本開示の実施可能な実施例において、前記のＥＰＳベアラー情報とＰＤＵセッション情報のマッピング関係を取得するステップの後に、前記データ中継方法において、データ転送用のＳＭＦエンティティを特定するステップをさらに含む。
【０００７】
本開示の実施可能な実施例において、前記ネットワーク機能エンティティは、ＡＭＦエンティティであり、または、ＰＧＷ−Ｃ＋ＳＭＦエンティティである。
【０００８】
本開示の実施可能な実施例において、データが５ＧシステムからＬＴＥシステムに転送される場合、前記のＥＰＳベアラー情報とＰＤＵセッション情報のマッピング関係を取得することは、転送データの受信が行われるＥＰＳベアラーのＩＤと、ＰＤＵセッションのＱｏＳフローのＩＤとのマッピング関係を取得するステップを含む。
【０００９】
本開示の実施可能な実施例において、前記ネットワーク機能エンティティがＡＭＦエンティティであり、前記の転送データの受信が行われるＥＰＳベアラーのＩＤと、ＰＤＵセッションのＱｏＳフローのＩＤとのマッピング関係を取得するステップの前に、前記データ中継方法において、転送データの受信が行われるＥＰＳベアラーのＩＤをＭＭＥエンティティから取得するステップをさらに含む。
【００１０】
本開示の実施可能な実施例において、前記の転送データの受信が行われるＥＰＳベアラーのＩＤをＭＭＥエンティティから取得するステップの前に、前記方法において、転送データの受信が行われるＥＰＳベアラーのＩＤの候補を前記ＭＭＥエンティティに提供するステップをさらに含む。
【００１１】
本開示の実施可能な実施例において、前記の転送データの受信が行われるＥＰＳベアラーのＩＤの候補を前記ＭＭＥエンティティに提供するステップの前に、前記方法において、データ転送が行われるＰＤＵセッションのＱｏＳフローのＩＤを５ＧシステムのＮＧ  ＲＡＮから取得するステップと、ＰＤＵセッションのＱｏＳフローのＩＤとＥＰＳベアラーのＩＤのマッピング関係をＰＧＷ−Ｃ＋ＳＭＦエンティティから取得するステップと、前記ＰＤＵセッションのＱｏＳフローのＩＤとＥＰＳベアラーのＩＤのマッピング関係に基づいて、前記データ転送が行われるＰＤＵセッションのＱｏＳフローのＩＤに対応する、転送データの受信が行われるＥＰＳベアラーのＩＤの候補を特定するステップとをさらに含む。
【００１２】
本開示の実施可能な実施例において、データがＬＴＥシステムから５Ｇシステムに転送される場合、前記のＥＰＳベアラー情報とＰＤＵセッション情報のマッピング関係を取得するステップは、転送データの受信が行われるＰＤＵセッションのＩＤおよび前記ＰＤＵセッションのうちの関連ＱｏＳフローのＩＤとＥＰＳベアラーのＩＤのマッピング関係を取得するステップを含む。
【００１３】
本開示の実施可能な実施例において、前記ネットワーク機能エンティティがＡＭＦエンティティであり、前記の転送データの受信が行われるＰＤＵセッションのＩＤおよび前記ＰＤＵセッションのうちの関連ＱｏＳフローのＩＤとＥＰＳベアラーのＩＤのマッピング関係を取得するステップの前に、前記方法において、転送データの受信が行われるＰＤＵセッションのＱｏＳフローのＩＤを５ＧシステムのＮＧ  ＲＡＮから取得するステップをさらに含む。
【００１４】
本開示の実施可能な実施例において、前記の転送データの受信が行われるＰＤＵセッションのＱｏＳフローのＩＤを５ＧシステムのＮＧ  ＲＡＮから取得するステップの前に、前記方法において、転送データの受信が行われるＰＤＵセッションのＱｏＳフローのＩＤの候補を前記ＮＧ  ＲＡＮに提供するステップをさらに含む。
【００１５】
本開示の実施可能な実施例において、前記の転送データの受信が行われるＰＤＵセッションのＱｏＳフローのＩＤの候補を前記ＮＧ  ＲＡＮに提供するステップの前に、前記方法において、データ伝送が行われるＥＰＳベアラーのＩＤをＭＭＥエンティティから取得するステップと、前記データ伝送が行われるＥＰＳベアラーのＩＤに基づいて、前記転送データの受信が行われるＰＤＵセッションのＱｏＳフローのＩＤの候補を特定するステップとをさらに含む。
【００１６】
本開示の実施可能な実施例において、前記のデータ転送用のＳＭＦエンティティを特定するステップは、ＵＥの位置情報および／またはデータ転送に関連するＰＤＵセッション情報に基づいて、データ転送用の前記ＳＭＦエンティティを特定することを含み、ここで、データ転送に関連するＰＤＵセッションは、データ転送が行われるＰＤＵセッションであり、または、データ転送が行われるＥＰＳベアラーに対応するＰＤＵセッションであり、前記ＰＤＵセッション情報は、ＰＤＵセッションに対応するデータ網名称およびＰＤＵセッションの所属するネットワークスライシング情報の１つまたは複数を含む。
【００１７】
本開示の実施可能な実施例において、前記ネットワーク機能エンティティがＰＧＷ−Ｃ＋ＳＭＦエンティティであり、前記のデータ転送用のＳＭＦエンティティを特定するステップは、ＡＭＦエンティティから送信される要求メッセージを受信するステップと、前記要求メッセージに基づいて、データ転送用の前記ＳＭＦエンティティを特定するステップとを含む。
【００１８】
第２方面において、本開示の実施例は、ＳＭＦエンティティに応用されるデータ中継方法を提供する。当該方法において、ＡＭＦエンティティまたはＰＧＷ−Ｃ＋ＳＭＦエンティティから送信されるＥＰＳベアラー情報とＰＤＵセッション情報のマッピング関係を受信するステップと、前記ＥＰＳベアラー情報とＰＤＵセッション情報のマッピング関係に基づいて、データ転送トンネルを設定するステップとを含む。
【００１９】
本開示の実施可能な実施例において、データが５ＧシステムからＬＴＥシステムに転送される場合、前記ＥＰＳベアラー情報とＰＤＵセッション情報のマッピング関係は、転送データの受信が行われるＥＰＳベアラーのＩＤとＰＤＵセッションのＱｏＳフローのＩＤのマッピング関係であり、前記の前記ＥＰＳベアラー情報とＰＤＵセッション情報のマッピング関係に基づいて、データ転送トンネルを設定するステップは、ＵＰＦエンティティを選択するステップと、データ転送用のコアネットワークトンネルＩＤをＰＤＵセッションに割り当て、前記ＵＰＦエンティティとデータ転送用のＳＧＷとの間の転送トンネルと、前記ＵＰＦエンティティと５ＧシステムのＮＧ  ＲＡＮとの間のＰＤＵセッショントンネルを設定するステップと、前記転送データの受信が行われるＥＰＳベアラーのＩＤとＰＤＵセッションのＱｏＳフローのＩＤのマッピング関係に基づいて、前記ＰＤＵセッションのＱｏＳフローを前記転送データの受信が行われるＥＰＳベアラーに対応する転送トンネルにバインディングし、前記ＵＰＦエンティティによってパケットのＱｏＳフローのＩＤに基づいて前記パケットを正しいＥＰＳベアラーの転送トンネルに転送可能にするステップとを含む。
【００２０】
本開示の実施可能な実施例において、データがＬＴＥシステムから５Ｇシステムに転送される場合、前記ＥＰＳベアラー情報とＰＤＵセッション情報のマッピング関係は、転送データの受信が行われるＰＤＵセッションのＩＤおよび前記ＰＤＵセッションのうち関連ＱｏＳフローのＩＤとＥＰＳベアラーのＩＤのマッピング関係であり、前記の前記ＥＰＳベアラー情報とＰＤＵセッション情報のマッピング関係に基づいて、データ転送トンネルを設定するステップは、ＵＰＦエンティティを選択するステップと、データ転送用のトンネルエンドポイントＩＤをＥＰＳベアラーに割り当て、前記ＵＰＦエンティティと５ＧシステムのＮＧ  ＲＡＮとのＰＤＵセッショントンネルを設定するステップと、前記転送データの受信が行われるＰＤＵセッションのＩＤおよび前記ＰＤＵセッションのうち関連ＱｏＳフローのＩＤとＥＰＳベアラーのＩＤのマッピング関係に基づいて、前記ＥＰＳベアラーを前記転送データの受信が行われるＰＤＵセッションに対応する転送トンネルにバインディングし、前記ＵＰＦエンティティによって、前記ＥＰＳベアラーのトンネルから受信したパケットに正しいＱｏＳフローのＩＤを付与して正しいＰＤＵセッションの転送トンネルに転送可能にするステップとを含む。
【００２１】
第３方面において、本開示の実施例は、ネットワーク機能エンティティに応用されるデータ中継装置を提供する。当該装置は、ＥＰＳベアラー情報とＰＤＵセッション情報のマッピング関係を取得する第１取得モジュールと、データ転送用のＳＭＦエンティティを特定する特定モジュールと、ＳＭＦエンティティによって前記ＥＰＳベアラー情報とＰＤＵセッション情報のマッピング関係に基づいてデータ転送トンネルを設定するよう、前記ＥＰＳベアラー情報とＰＤＵセッション情報のマッピング関係を前記ＳＭＦエンティティに送信する第１送信モジュールとを含む。
【００２２】
本開示の実施可能な実施例において、前記ネットワーク機能エンティティは、ＡＭＦエンティティであり、または、ＰＧＷ−Ｃ＋ＳＭＦエンティティである。
【００２３】
本開示の実施可能な実施例において、データが５ＧシステムからＬＴＥシステムに転送される場合、前記第１取得モジュールは、具体的に、転送データの受信が行われるＥＰＳベアラーのＩＤと、ＰＤＵセッションのＱｏＳフローのＩＤとのマッピング関係を取得する。
【００２４】
本開示の実施可能な実施例において、前記ネットワーク機能エンティティがＡＭＦエンティティであり、前記装置は、転送データの受信が行われるＥＰＳベアラーのＩＤをＭＭＥエンティティから取得する第２取得モジュールをさらに含む。
【００２５】
本開示の実施可能な実施例において、前記装置は、転送データの受信が行われるＥＰＳベアラーのＩＤの候補を前記ＭＭＥエンティティに提供する第２送信モジュールをさらに含む。
【００２６】
本開示の実施可能な実施例において、前記装置は、データ転送が行われるＰＤＵセッションのＱｏＳフローのＩＤを５ＧシステムのＮＧ  ＲＡＮから取得する第３取得モジュールと、ＰＤＵセッションのＱｏＳフローのＩＤとＥＰＳベアラーのＩＤのマッピング関係をＰＧＷ−Ｃ＋ＳＭＦエンティティから取得する第４取得モジュールと、前記ＰＤＵセッションのＱｏＳフローのＩＤとＥＰＳベアラーのＩＤのマッピング関係に基づいて、前記データ転送が行われるＰＤＵセッションのＱｏＳフローのＩＤに対応する、転送データの受信が行われるＥＰＳベアラーのＩＤの候補を特定する第１特定モジュールとをさらに含む。
【００２７】
本開示の実施可能な実施例において、データがＬＴＥシステムから５Ｇシステムに転送される場合、前記第１取得モジュールは、具体的に、転送データの受信が行われるＰＤＵセッションのＩＤおよび前記ＰＤＵセッションのうちの関連ＱｏＳフローのＩＤとＥＰＳベアラーのＩＤのマッピング関係を取得する。
【００２８】
本開示の実施可能な実施例において、前記ネットワーク機能エンティティがＡＭＦエンティティであり、前記装置は、転送データの受信が行われるＰＤＵセッションのＱｏＳフローのＩＤを５ＧシステムのＮＧ  ＲＡＮから取得する第５取得モジュールをさらに含む。
【００２９】
本開示の実施可能な実施例において、前記装置は、転送データの受信が行われるＰＤＵセッションのＱｏＳフローのＩＤの候補を前記ＮＧ  ＲＡＮに提供する第３送信モジュールをさらに含む。
【００３０】
本開示の実施可能な実施例において、前記装置は、データ伝送が行われるＥＰＳベアラーのＩＤをＭＭＥエンティティから取得する第６取得モジュールと、前記データ伝送が行われるＥＰＳベアラーのＩＤに基づいて、前記転送データの受信が行われるＰＤＵセッションのＱｏＳフローのＩＤの候補を特定する第２特定モジュールとをさらに含む。
【００３１】
本開示の実施可能な実施例において、前記特定モジュールは、具体的に、ＵＥの位置情報および／またはデータ転送に関連するＰＤＵセッション情報に基づいて、データ転送用の前記ＳＭＦエンティティを特定し、ここで、データ転送に関連するＰＤＵセッションは、データ転送が行われるＰＤＵセッションであり、または、データ転送が行われるＥＰＳベアラーに対応するＰＤＵセッションであり、前記ＰＤＵセッション情報は、ＰＤＵセッションに対応するデータ網名称およびＰＤＵセッションの所属するネットワークスライシング情報の１つまたは複数を含む。
【００３２】
本開示の実施可能な実施例において、前記ネットワーク機能エンティティがＰＧＷ−Ｃ＋ＳＭＦエンティティであり、前記特定モジュールは、具体的に、ＡＭＦエンティティから送信される要求メッセージを受信し、前記要求メッセージに基づいて、データ転送用の前記ＳＭＦエンティティを特定する。
【００３３】
第４方面において、本開示の実施例は、ＳＭＦエンティティに応用されるデータ中継装置を提供する。当該装置は、ＡＭＦエンティティまたはＰＧＷ−Ｃ＋ＳＭＦエンティティから送信されるＥＰＳベアラー情報とＰＤＵセッション情報のマッピング関係を受信する受信モジュールと、前記ＥＰＳベアラー情報とＰＤＵセッション情報のマッピング関係に基づいて、データ転送トンネルを設定する設定モジュールとを含む。
【００３４】
本開示の実施可能な実施例において、データが５ＧシステムからＬＴＥシステムに転送される場合、前記ＥＰＳベアラー情報とＰＤＵセッション情報のマッピング関係は、転送データの受信が行われるＥＰＳベアラーのＩＤとＰＤＵセッションのＱｏＳフローのＩＤのマッピング関係であり、前記設定モジュールは、ＵＰＦエンティティを選択する第１選択ユニットと、データ転送用のコアネットワークトンネルＩＤをＰＤＵセッションに割り当て、前記ＵＰＦエンティティとデータ転送用のＳＧＷとの間の転送トンネルと、前記ＵＰＦエンティティと５ＧシステムのＮＧ  ＲＡＮとの間のＰＤＵセッショントンネルを設定する第１設定ユニットと、前記ＵＰＦエンティティによってパケットのＱｏＳフローのＩＤに基づいて前記パケットを正しいＥＰＳベアラーの転送トンネルに転送可能にするよう、前記転送データの受信が行われるＥＰＳベアラーのＩＤとＰＤＵセッションのＱｏＳフローのＩＤのマッピング関係に基づいて、前記ＰＤＵセッションのＱｏＳフローを前記転送データの受信が行われるＥＰＳベアラーに対応する転送トンネルにバインディングする第１バインディングユニットとを含む。
【００３５】
本開示の実施可能な実施例において、データがＬＴＥシステムから５Ｇシステムに転送される場合、前記ＥＰＳベアラー情報とＰＤＵセッション情報のマッピング関係は、転送データの受信が行われるＰＤＵセッションのＩＤおよび前記ＰＤＵセッションのうち関連ＱｏＳフローのＩＤとＥＰＳベアラーのＩＤのマッピング関係であり、前記設定モジュールは、ＵＰＦエンティティを選択する第２選択ユニットと、データ転送用のトンネルエンドポイントＩＤをＥＰＳベアラーに割り当て、前記ＵＰＦエンティティと５ＧシステムのＮＧ  ＲＡＮとのＰＤＵセッショントンネルを設定する第２設定ユニットと、前記ＵＰＦエンティティによって、前記ＥＰＳベアラーのトンネルから受信したパケットに正しいＱｏＳフローのＩＤを付与して正しいＰＤＵセッションの転送トンネルに転送可能にするよう、前記転送データの受信が行われるＰＤＵセッションのＩＤおよび前記ＰＤＵセッションのうち関連ＱｏＳフローのＩＤとＥＰＳベアラーのＩＤのマッピング関係に基づいて、前記ＥＰＳベアラーを前記転送データの受信が行われるＰＤＵセッションに対応する転送トンネルにバインディングする第２バインディングユニットとを含む。
【００３６】
第５方面において、本開示の実施例は、メモリと、プロセッサと、前記メモリに記憶されて前記プロセッサで実行可能なコンピュータプログラムを含むネットワーク機能エンティティを提供する。前記プロセッサは、前記プログラムを実行すると、上記第１方面に記載のデータ中継方法のステップを実現する。
【００３７】
第６方面において、本開示の実施例は、メモリと、プロセッサと、前記メモリに記憶されて前記プロセッサで実行可能なコンピュータプログラムを含むＳＭＦエンティティを提供する。前記プロセッサは、前記プログラムを実行すると、上記第２方面に記載のデータ中継方法のステップを実現する。
【００３８】
第７方面において、本開示の実施例は、コンピュータプログラムが記憶されているコンピュータ読み取り可能な記憶媒体を提供する。前記プログラムがプロセッサによって実行されると、上記第１方面に記載のデータ中継方法のステップが実現される。
【００３９】
第８方面において、本開示の実施例は、コンピュータプログラムが記憶されているコンピュータ読み取り可能な記憶媒体を提供する。前記プログラムがプロセッサによって実行されると、上記第２方面に記載のデータ中継方法のステップが実現される。
【発明の効果】
【００４０】
本開示の実施例のデータ中継方法において、ＥＰＳベアラー情報とＰＤＵセッション情報のマッピング関係を取得することによってデータ転送用のＳＭＦエンティティを特定し、ＥＰＳベアラー情報とＰＤＵセッション情報のマッピング関係をＳＭＦエンティティに送信し、ＳＭＦエンティティによって、ＥＰＳベアラー情報とＰＤＵセッション情報のマッピング関係に基づいてデータ転送トンネルを設定するため、ＰＧＷ−Ｕ＋ＵＰＦエンティティをデータ転送ノードをすることを回避でき、転送データの伝送冗長を回避し、データ転送の遅延を減少させ、転送データの伝送効率を向上させることができる。
【図面の簡単な説明】
【００４１】
本開示の実施例や従来技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００４２】
【図１】本開示の実施例におけるデータ中継方法のフローチャートである。
【図２】本開示の具体例１におけるデータ中継プロセスのフローチャートである。
【図３】本開示の具体例２におけるデータ中継プロセスのフローチャートである。
【図４】本開示の具体例３におけるデータ中継プロセスのフローチャートである。
【図５】本開示の具体例４におけるデータ中継プロセスのフローチャートである。
【図６】本開示の具体例５におけるデータ中継プロセスのフローチャートである。
【図７】本開示の実施例における別のデータ中継方法のフローチャートである。
【図８】本開示の実施例におけるデータ中継装置の構造図その１である。
【図９】本開示の実施例におけるデータ中継装置の構造図その２である。
【図１０】本開示の実施例におけるデータ中継装置の構造図その３である。
【図１１】本開示の実施例におけるデータ中継装置の構造図その４である。
【図１２】本開示の実施例におけるネットワーク機能エンティティの構造図である。
【発明を実施するための形態】
【００４３】
以下、本開示の実施例の図面を参照しながら、本開示の実施例の技術手段を明確且つ完全的に記載する。明らかに、記載される実施例は、本開示の実施例の一部であり、全てではない。本開示の実施例に基づき、当業者が創造性のある作業をせずに為しえる全ての実施例は、すべて本開示の保護範囲に属するものである。
【００４４】
５ＧネットワークとＬＴＥネットワークの相互操作をサポートするネットワークアーキテクチャにおいて、ＬＴＥネットワークにおけるＭＭＥ（Ｍｏｂｉｌｉｔｙ  Ｍａｎａｇｅｍｅｎｔ  Ｅｎｔｉｔｙ）エンティティと５ＧネットワークにおけるＡＭＦ（Ａｕｔｈｅｎｔｉｃａｔｉｏｎ  Ｍａｎａｇｅｍｅｎｔ  Ｆｕｎｃｔｉｏｎ）エンティティとの間のＮｘインタフェースは、サポート可否が選択可能である。ネットワークでＮｘインタフェースがサポートされる場合、ネットワークでは、５ＧネットワークとＬＴＥネットワークとの間の切り替えをサポートする。この場合、ＭＭＥエンティティとＡＭＦエンティティとの間では、移動性コンテキストとセッション接続のコンテキストを含んだＵＥのコンテキスト情報を伝達する必要がある。ＵＥは、このようなＮｘインタフェースがサポートされるネットワークにアクセスする際に、その登録モードとして、ネットワークでシングル登録モード（ｓｉｎｇｌｅ  ｒｅｇｉｓｔｒａｔｉｏｎ  ｍｏｄｅ）に設定される可能性がある。現在、シングル登録モードは、ＵＥによるサポートを強制的に要求する動作モードである。
【００４５】
ここで、シングル登録モードで５ＧネットワークからＬＴＥネットワークへの切り替えプロセスは、主に以下である。
Ｓ１：ＡＭＦエンティティは、ＲＡＮ（Ｒａｄｉｏ  Ａｃｃｅｓｓ  Ｎｅｔｗｏｒｋ）の切り替え要求を受信すると、ＰＤＵセッションコンテキストからマッピングして生成されるＥＰＳ（Ｅｖｏｌｖｅｄ  Ｐａｃｋｅｔ  Ｓｙｓｔｅｍ）ベアラーコンテキストを返信するように、すべてのＳＭＦ（Ｓｅｓｓｉｏｎ  Ｍａｎａｇｅｍｅｎｔ  Ｆｕｎｃｔｉｏｎ）エンティティに要求する。
Ｓ２：ＡＭＦエンティティは、すべてのＳＭＦエンティティから返信されるＥＰＳベアラーコンテキストを受信すると、ＵＥの移動性コンテキストと関連付けてＵＥコンテキストを生成し、Ｎｘインタフェースを介してＭＭＥエンティティに伝達する。
Ｓ３：目標側ＭＭＥエンティティは、ＮｘインタフェースをＳ１０インタフェースと見なし、すなわちＡＭＦエンティティをＭＭＥエンティティと見なす。目標側ＭＭＥエンティティは、ＮｘインタフェースからＵＥコンテキストを受信すると、従来のＥＰＳシステムのＳ１切り替えフローで後のフローを続ける。
Ｓ４：ＳＭＦエンティティ／ＰＧＷ−Ｃエンティティは、ＵＥのセッションがＬＴＥネットワークに切り替えられたと特定すると、一部のｎｏｎ−ＧＲＢ  ＱｏＳフローに対し専用ベアラーを確立するように、専用ベアラー活性化プロセスを引き起こす可能性がある。
【００４６】
一方、シングル登録モードでＬＴＥネットワークから５Ｇネットワークへの切り替え準備プロセスは、主に以下である。
Ｓ１：ＭＭＥエンティティは、Ｅ−ＵＴＲＡＮの切り替え要求を受信すると、目標ＡＭＦエンティティを特定し、ＥＰＳベアラーコンテキストをＡＭＦエンティティに送信する。
Ｓ２：ＡＭＦエンティティは、ＭＭＥエンティティの要求を受信すると、ＥＰＳ移動性管理コンテキストから５ＧＳ移動性管理コンテキストへの変換を完成する。ここで、ＭＭＥエンティティから提供されるＵＥコンテキストには、ＥＰＳベアラーコンテキストが含まれるが、ＥＰＳベアラーコンテキストには、ＰＧＷ−Ｃ＋ＳＭＦエンティティのアドレスおよびＰＧＷ−Ｕ＋ＵＰＦエンティティのアップリンクトンネル情報が含まれる。
Ｓ３：ＡＭＦエンティティは、要求メッセージをＰＧＷ−Ｃ＋ＳＭＦエンティティに送信し、ＰＤＵセッションＩＤ、ＱｏＳ  Ｒｕｌｅｓ、ＥＰＳベアラーリストなどの情報を返信するようにＰＧＷ−Ｃ＋ＳＭＦエンティティに要求する。
Ｓ４：ＡＭＦエンティティは、５ＧネットワークのＮＧ  ＲＡＮに切り替え要求メッセージを送信し、エアインタフェースベアラーの確立を要求する。
Ｓ５：ＮＧ  ＲＡＮは、データ転送用のＮ３インタフェースのＲＡＮ側トンネル情報が付帯されるＡＣＫメッセージをＡＭＦエンティティに返信する。
Ｓ６：ＡＭＦエンティティは、データ転送用のＮ３インタフェースのＲＡＮ側トンネル情報が付帯される要求メッセージをＰＧＷ−Ｃ＋ＳＭＦエンティティに送信する。
Ｓ７：ＰＧＷ−Ｃ＋ＳＭＦエンティティは、ＰＤＵセッションＩＤおよびＥＰＳベアラーリストをＡＭＦエンティティに返信する。ここで、ＥＰＳベアラーリストには、５Ｇシステムで確立されるベアラー情報が含まれ、データ中継が行われるベアラーのコアネットワークトンネル情報が含まれる。
Ｓ８：ＡＭＦエンティティは、ＥＰＳベアラーリストが付帯される応答メッセージをＭＭＥエンティティに返信する。よって、ＭＭＥエンティティは、そのうちのデータ中継が行われるベアラーのコアネットワークトンネル情報を用いて、転送トンネルを確立するようにＳＧＷ（Ｓｅｒｖｉｎｇ  Ｇａｔｅ  Ｗａｙ）に要求する。
【００４７】
現在、５ＧネットワークとＬＴＥネットワークの相互操作シーンにおいて、ＰＧＷ−Ｕ＋ＵＰＦエンティティをデータ中継ノードとするため、セッションのアンカーポイントから配信されるデータをまずアンカーポイントまで再びルーティングしてから目標基地局に転送することが求められる。よって、従来の相互操作シーンのデータ中継方法は、特にホームルーティングを用いたローミングシーンにおいて、転送データの伝送冗長になり、データ転送の遅延が大きく、転送データの伝送効率が低い。
【００４８】
図１に示すように、本開示の実施例は、ネットワーク機能エンティティに応用されるデータ中継方法を提供する。当該方法において、以下のステップを含む。
【００４９】
ステップ１０１において、ＥＰＳベアラー情報とＰＤＵセッション情報のマッピング関係を取得する。
【００５０】
ここで、本開示の実施例におけるネットワーク機能エンティティは、ＡＭＦエンティティであり、または、ＰＧＷ−ＣとアンカーポイントであるＳＭＦを同時にサポートするＰＧＷ−Ｃ＋ＳＭＦエンティティである。
【００５１】
本開示の実施例のデータ中継方法は、５ＧネットワークとＬＴＥネットワークの相互操作シーンに適用可能であり、データが５ＧシステムからＬＴＥシステムに転送されてもよく、ＬＴＥシステムから５Ｇシステムに転送されてもよい。データが５ＧシステムからＬＴＥシステムに転送される場合、前記のＥＰＳベアラー情報とＰＤＵセッション情報のマッピング関係を取得することは、具体的に、転送データの受信が行われるＥＰＳベアラーのＩＤとＰＤＵセッションのＱｏＳフローのＩＤとのマッピング関係を取得する。また、データが５ＧシステムからＬＴＥシステムに転送される場合、前記のＥＰＳベアラー情報とＰＤＵセッション情報のマッピング関係を取得することは、ＥＰＳベアラーのＩＤと、データ転送が行われるＰＤＵセッションのＱｏＳフローのＩＤとのマッピング関係を取得してもよい。
【００５２】
一方、データがＬＴＥシステムから５Ｇシステムに転送される場合、前記のＥＰＳベアラー情報とＰＤＵセッション情報のマッピング関係を取得するステップは、具体的に、転送データの受信が行われるＰＤＵセッションのＩＤおよびＰＤＵセッションのうちの関連ＱｏＳフローのＩＤとＥＰＳベアラーのＩＤのマッピング関係を取得する。また、データがＬＴＥシステムから５Ｇシステムに転送される場合、前記のＥＰＳベアラー情報とＰＤＵセッション情報のマッピング関係を取得することは、データ転送が行われるＥＰＳベアラーのＩＤとＰＤＵセッションのＩＤおよびＰＤＵセッションのうちの関連ＱｏＳフローのＩＤのマッピング関係を取得してもよい。
【００５３】
ステップ１０２において、データ転送用のＳＭＦエンティティを特定する。
【００５４】
ここで、このステップで特定するＳＭＦエンティティは、具体的に中間ＳＭＦエンティティである。ネットワーク機能エンティティは、データ転送用のＳＭＦエンティティを特定する際に、ＵＥの位置情報および／またはデータ転送に関連するＰＤＵセッション情報に基づいて特定を行う。
【００５５】
具体的に、本開示の実施例において、ステップ１０２として、ＵＥの位置情報および／またはデータ転送に関連するＰＤＵセッション情報に基づいて、データ転送用のＳＭＦエンティティを特定する。
【００５６】
ここで、データ転送に関連するＰＤＵセッションは、データ転送が行われるＰＤＵセッションであり、または、データ転送が行われるＥＰＳベアラーに対応するＰＤＵセッションである。ＰＤＵセッション情報は、ＰＤＵセッションに対応するＤＮＮ（Ｄａｔａ  Ｎｅｔｗｏｒｋ  Ｎａｍｅ）およびＰＤＵセッションの所属するネットワークスライシング情報の１つまたは複数を含む。
【００５７】
本開示の実施例において、ネットワーク機能エンティティがＰＧＷ−Ｃ＋ＳＭＦエンティティである場合、ＰＧＷ−Ｃ＋ＳＭＦエンティティがデータ転送用のＳＭＦエンティティを特定するプロセスとして、ＡＭＦエンティティから送信される要求メッセージを受信し、受信した要求メッセージに基づいて、データ転送用のＳＭＦエンティティを特定する。
【００５８】
具体的な実施プロセスにおいて、ＵＥがローミング状態ではなく、すなわちホームネットワークにある場合、特定されるデータ転送用のＳＭＦエンティティは、ＰＧＷ−Ｃ＋ＳＭＦエンティティの可能性がある。この場合、前記ＥＰＳベアラー情報とＰＤＵセッション情報のマッピング関係をＰＧＷ−Ｃ＋ＳＭＦエンティティに送信するステップを省略してもよい。一方、ＵＥがローミング状態であり、すなわち移動先のネットワークにある場合、特定される転送用のＳＭＦエンティティは、関連技術において当該ＰＤＵセッションをサービングするＶ−ＳＭＦ（ｖｉｓｉｔｏｒ  ＳＭＦ）エンティティの可能性がある。
【００５９】
ステップ１０３において、ＥＰＳベアラー情報とＰＤＵセッション情報のマッピング関係をＳＭＦエンティティに送信し、ＳＭＦエンティティによって、ＥＰＳベアラー情報とＰＤＵセッション情報のマッピング関係に基づいてデータ転送トンネルを設定する。
【００６０】
ここで、ＥＰＳベアラー情報とＰＤＵセッション情報のマッピング関係が、転送データの受信が行われるＥＰＳベアラーのＩＤとＰＤＵセッションのＱｏＳフローのＩＤのマッピング関係である場合、ＳＭＦエンティティによるデータ転送トンネル設定プロセスとして、具体的に、まず、ＵＰＦエンティティを選択する。それから、データ転送用のコアネットワークトンネルＩＤをＰＤＵセッションに割り当て、ＵＰＦエンティティとデータ転送用のＳＧＷとの間の転送トンネルと、ＵＰＦエンティティと５ＧシステムのＮＧ  ＲＡＮとの間のＰＤＵセッショントンネルを設定する。最後に、前記転送データの受信が行われるＥＰＳベアラーのＩＤとＰＤＵセッションのＱｏＳフローのＩＤのマッピング関係に基づいて、ＰＤＵセッションのＱｏＳフローを転送データの受信が行われるＥＰＳベアラーに対応する転送トンネルにバインディングし、ＵＰＦエンティティによってパケットのＱｏＳフローのＩＤに基づいて当該パケットを正しいＥＰＳベアラーの転送トンネルに転送可能にする。
【００６１】
一方、ＥＰＳベアラー情報とＰＤＵセッション情報のマッピング関係が、転送データの受信が行われるＰＤＵセッションのＩＤおよびＰＤＵセッションのうち関連ＱｏＳフローのＩＤとＥＰＳベアラーのＩＤのマッピング関係である場合、ＳＭＦエンティティによるデータ転送トンネル設定プロセスとして、まず、ＵＰＦエンティティを選択する。それから、データ転送用のトンネルエンドポイントＩＤをＥＰＳベアラーに割り当て、ＵＰＦエンティティと５ＧシステムのＮＧ  ＲＡＮとのＰＤＵセッショントンネルを設定する。最後に、前記転送データの受信が行われるＰＤＵセッションのＩＤおよびＰＤＵセッションのうち関連ＱｏＳフローのＩＤとＥＰＳベアラーのＩＤのマッピング関係に基づいて、ＥＰＳベアラーを転送データの受信が行われるＰＤＵセッションに対応する転送トンネルにバインディングし、ＵＰＦエンティティによって、ＥＰＳベアラーのトンネルから受信したパケットに正しいＱｏＳフローのＩＤを付与して正しいＰＤＵセッションの転送トンネルに転送可能にする。
【００６２】
本開示の実施例のデータ中継方法において、ＥＰＳベアラー情報とＰＤＵセッション情報のマッピング関係を取得することによってデータ転送用のＳＭＦエンティティを特定し、ＥＰＳベアラー情報とＰＤＵセッション情報のマッピング関係をＳＭＦエンティティに送信し、ＳＭＦエンティティによって、ＥＰＳベアラー情報とＰＤＵセッション情報のマッピング関係に基づいてデータ転送トンネルを設定するため、ＰＧＷ−Ｕ＋ＵＰＦエンティティをデータ転送ノードをすることを回避でき、転送データの伝送冗長を回避し、データ転送の遅延を減少させ、転送データの伝送効率を向上させることができる。
【００６３】
本開示の実施例において、ＥＰＳベアラー情報とＰＤＵセッション情報のマッピング関係が、転送データの受信が行われるＥＰＳベアラーのＩＤとＰＤＵセッションのＱｏＳフローのＩＤのマッピング関係である場合、ＡＭＦエンティティは、転送データの受信が行われるＥＰＳベアラーのＩＤとＰＤＵセッションのＱｏＳフローのＩＤのマッピング関係を取得するために、転送データの受信が行われるＥＰＳベアラーのＩＤとＰＤＵセッションのＱｏＳフローのＩＤのマッピング関係を取得する前に、転送データの受信が行われるＥＰＳベアラーのＩＤをＭＭＥエンティティから取得する。
【００６４】
さらに、ＡＭＦエンティティは、転送データの受信が行われるＥＰＳベアラーのＩＤをＭＭＥエンティティから取得する前に、転送データの受信が行われるＥＰＳベアラーのＩＤの候補をＭＭＥエンティティに提供する。それによって、ＬＴＥネットワークにおいて、転送データの受信が行われるＥＰＳベアラーのＩＤの候補に基づいて、最終的な転送データの受信が行われるＥＰＳベアラーのＩＤを特定する。
【００６５】
具体的な実施プロセスにおいて、選択可能に、ＬＴＥネットワークのｅＮＢは、ソース５ＧネットワークのＮＧ  ＲＡＮによってソースからターゲットへの透明容器にパッケージ化されたデータ転送が行われるＰＤＵセッションのＱｏＳフローとマッピングして生成されるＥＰＳベアラーのマッピング関係に基づいて、最終的な転送データの受信が行われるＥＰＳベアラーのＩＤを特定する。
【００６６】
さらに、ＡＭＦエンティティは、転送データの受信が行われるＥＰＳベアラーのＩＤの候補をＭＭＥエンティティに提供する前に、転送データの受信が行われるＥＰＳベアラーのＩＤの候補を特定する必要がある。ＡＭＦエンティティによって、転送データの受信が行われるＥＰＳベアラーのＩＤの候補を特定するプロセスとして、データ転送が行われるＰＤＵセッションのＱｏＳフローのＩＤを５ＧシステムのＮＧ  ＲＡＮから取得するステップと、ＰＤＵセッションのＱｏＳフローのＩＤとＥＰＳベアラーのＩＤのマッピング関係をＰＧＷ−Ｃ＋ＳＭＦエンティティから取得するステップと、ＰＤＵセッションのＱｏＳフローのＩＤとＥＰＳベアラーのＩＤのマッピング関係に基づいて、データ転送が行われるＰＤＵセッションのＱｏＳフローのＩＤに対応する、転送データの受信が行われるＥＰＳベアラーのＩＤの候補を特定するステップを含む。
【００６７】
本開示の実施例において、ＥＰＳベアラー情報とＰＤＵセッション情報のマッピング関係が、転送データの受信が行われるＰＤＵセッションのＩＤおよび前記ＰＤＵセッションのうち関連ＱｏＳフローのＩＤとＥＰＳベアラーのＩＤのマッピング関係である場合、ＡＭＦエンティティは、転送データの受信が行われるＰＤＵセッションのＩＤおよび前記ＰＤＵセッションのうち関連ＱｏＳフローのＩＤとＥＰＳベアラーのＩＤのマッピング関係を取得するために、転送データの受信が行われるＰＤＵセッションのＩＤおよび前記ＰＤＵセッションのうち関連ＱｏＳフローのＩＤとＥＰＳベアラーのＩＤのマッピング関係を取得する前に、転送データの受信が行われるＰＤＵセッションのＱｏＳフローのＩＤを５ＧシステムのＮＧ  ＲＡＮから取得する。
【００６８】
さらに、ＡＭＦエンティティは、転送データの受信が行われるＰＤＵセッションのＱｏＳフローのＩＤを５ＧシステムのＮＧ  ＲＡＮから取得する前に、転送データの受信が行われるＰＤＵセッションのＱｏＳフローのＩＤの候補をＮＧ  ＲＡＮに提供する。それによって、ＮＧ  ＲＡＮは、転送データの受信が行われるＰＤＵセッションのＱｏＳフローのＩＤの候補に基づいて、最終的な転送データの受信が行われるＰＤＵセッションのＱｏＳフローのＩＤを特定する。
【００６９】
具体的な実施プロセスにおいて、選択可能に、ＮＧ  ＲＡＮは、ＬＴＥネットワークのｅＮＢによってソースからターゲットへの透明容器にパッケージ化されたデータ転送が行われるＥＰＳベアラーとマッピングして生成されるマッピング関係に基づいて、最終的な転送データの受信が行われるＰＤＵセッションのＱｏＳフローのＩＤを特定する。
【００７０】
さらに、ＡＭＦエンティティは、転送データの受信が行われるＰＤＵセッションのＱｏＳフローのＩＤの候補をＮＧ  ＲＡＮに提供する前に、転送データの受信が行われるＰＤＵセッションのＱｏＳフローのＩＤの候補を特定する必要がある。ＡＭＦエンティティによって、転送データの受信が行われるＰＤＵセッションのＱｏＳフローのＩＤの候補を特定するプロセスとして、データ伝送が行われるＥＰＳベアラーのＩＤをＭＭＥエンティティから取得するステップと、データ伝送が行われるＥＰＳベアラーのＩＤに基づいて、転送データの受信が行われるＰＤＵセッションのＱｏＳフローのＩＤの候補を特定するステップとを含む。
【００７１】
以下、図２〜図６を参照して本開示の具体例１〜５のデータ中継プロセスをそれぞれ説明する。
【００７２】
実例１
図２は、本開示の具体例１のデータ中継プロセスのフローチャートである。実例１において、データが５ＧシステムからＬＴＥシステムに転送され、かつＡＭＦエンティティによって転送トンネルの確立を要求する。実例１のデータ中継プロセスは、以下のステップを含む。
【００７３】
ステップ２０１において、５ＧシステムのＮＧ  ＲＡＮは、切り替え要求メッセージをＡＭＦエンティティに送信する。ここで、切り替え要求（Ｈａｎｄｏｖｅｒ  Ｒｅｑｕｅｓｔ）メッセージには、データ転送（またはデータ中継と称される）が行われるＰＤＵセッションのＱｏＳフロー情報が付帯される。当該ＱｏＳフロー情報は、ＱｏＳフローのＩＤおよび所属するＰＤＵセッションのＩＤを含む。
【００７４】
ステップ２０２において、ＡＭＦエンティティは、ＰＤＵセッションＩＤに基づいて、対応するＰＧＷ−Ｃ＋ＳＭＦエンティティを特定し、データ転送が行われるＰＤＵセッションのＱｏＳフローのＩＤが付帯されるセッション管理要求（ＳＭ  Ｒｅｑｕｅｓｔ）メッセージを当該ＰＧＷ−Ｃ＋ＳＭＦエンティティに送信する。
【００７５】
ステップ２０３において、ＰＧＷ−Ｃ＋ＳＭＦエンティティは、ＥＰＳベアラーとＱｏＳフローのマッピングパラメータに基づいて、ＰＤＵセッションのＱｏＳフローのＩＤとＥＰＳベアラーＩＤのマッピング関係を特定し、ＱｏＳフローに対応するＥＰＳベアラーコンテキストを特定し、特定されるＥＰＳベアラーコンテキストが付帯されるセッション管理応答（ＳＭ  Ｒｅｓｐｏｎｓｅ）メッセージをＡＭＦエンティティに返信する。
【００７６】
ステップ２０４において、ＡＭＦエンティティは、ＰＧＷ−Ｃ＋ＳＭＦエンティティから提供されるマッピングのＥＰＳベアラーコンテキストをフォワードリロケーション要求（Ｆｏｒｗａｒｄ  ｒｅｌｏｃａｔｉｏｎ  Ｒｅｑｕｅｓｔ）メッセージによってＭＭＥエンティティに転送する。ここで、ＥＰＳベアラーコンテキストには、転送データの受信が行われるＥＰＳベアラーの情報が含まれる。
【００７７】
ステップ２０５において、ＭＭＥエンティティは、受信したＥＰＳベアラー情報に基づいて、切り替え要求メッセージをＥ−ＵＴＲＡＮの目標ｅＮＢに送信する。ここで、切り替え要求メッセージには、ＥＰＳベアラーＩＤなど、対応するＥＰＳベアラー情報が付帯される。
【００７８】
ステップ２０６において、目標ｅＮＢは、ＥＰＳベアラー情報に基づいて、対応するベアラーに対しＴＥＩＤ（Ｔｕｎｎｅｌ  Ｅｎｄｐｏｉｎｔ  ＩＤｅｎｔｉｆｉｅｒ）を割り当てて転送し、切り替え応答（Ｈａｎｄｏｖｅｒ  Ｒｅｑｕｅｓｔ  ＡＣＫ）メッセージでＴＥＩＤをＭＭＥエンティティに返信する。
【００７９】
ステップ２０７において、ＭＭＥエンティティは、従来のプロセスを利用し、間接的なデータ転送トンネルをＳＧＷとの間で確立してＴＥＩＤを割り当てる。
【００８０】
ステップ２０８において、ＭＭＥエンティティは、フォワードリロケーション応答（Ｆｏｒｗａｒｄ  ｒｅｌｏｃａｔｉｏｎ  Ｒｅｓｐｏｎｓｅ）メッセージをＡＭＦエンティティに送信することによって、データ転送用のＳＧＷに割り当てられるＴＥＩＤおよび関連するＥＰＳベアラーＩＤをＡＭＦエンティティに返信する。
【００８１】
ステップ２０９において、ＡＭＦエンティティは、ＵＥの位置情報に基づいて、データ転送用のＳＭＦ（ＩＷＫ  ＳＭＦ）エンティティをＰＤＵセッション毎に特定する。
【００８２】
ステップ２１０において、ＡＭＦエンティティは、特定されたＳＭＦエンティティに転送トンネル確立要求（Ｃｒｅａｔｅ  Ｉｎｄｉｒｅｃｔ  ＤＦ  Ｔｕｎｎｅｌ  Ｒｅｑｕｅｓｔ）メッセージを送信する。ここで、転送トンネル確立要求メッセージには、転送データの受信が行われるＥＰＳベアラーのＩＤとＰＤＵセッションのＱｏＳフローのＩＤのマッピング関係、および、ＥＰＳベアラーＩＤ、ＥＰＳベアラーに対応するＳＧＷ  ＴＥＩＤおよびＱＦＩ（ＱｏＳフローのＩＤ）などのＥＰＳベアラーコンテキストが付帯される。
【００８３】
ステップ２１１において、ＳＭＦエンティティは、ＵＰＦエンティティを選択し、データ転送用のＮ３インタフェースのコアネットワークトンネルＩＤをＰＤＵセッションに割り当て、ＮＧ  ＲＡＮとの間のＮ３  ＰＤＵセッショントンネルを確立し、ＥＰＳベアラーに対応するＳＧＷ  ＴＥＩＤに基づいて、当該ＵＰＦとデータ転送用のＳＧＷとの間の転送トンネルを確立し、ＥＰＳベアラーＩＤとＰＤＵセッションのＱｏＳフローのＩＤのマッピング関係に基づいて、ＱｏＳフローをＥＰＳベアラーに対応する転送トンネルにバインディングし、ＵＰＦによってパケットのＱＦＩに基づいてパケットを正しい転送トンネルにマッピング可能にする。
【００８４】
ステップ２１２において、ＳＭＦエンティティは、データ転送用のＮ３インタフェースのコアネットワークトンネルＩＤが付帯される転送トンネル確立応答（Ｃｒｅａｔｅ  Ｉｎｄｉｒｅｃｔ  ＤＦ  Ｔｕｎｎｅｌ  Ｒｅｓｐｏｎｓｅ）メッセージをＡＭＦエンティティに送信する。
【００８５】
ステップ２１３において、ＡＭＦエンティティは、切り替え指令（Ｈａｎｄｏｖｅｒ  Ｃｏｍｍａｎｄ：データ転送用のＮ３インタフェースのコアネットワークトンネルＩＤを付帯可能である）をＮＧ  ＲＡＮに送信する。それによって、ＮＧ  ＲＡＮにバッファされたデータがＵＰＦに転送される。ＵＰＦは、パケットヘッダのＱＦＩに基づいて、パケットを正しい転送トンネルにマッピングする。ＵＰＦは、パケットヘッダのＱＦＩを分離し、データをＳＧＷに転送する。すなわちＡＭＦエンティティは、後の切り替えフローを完成する。
【００８６】
ステップ２１４において、ＮＧ  ＲＡＮは、切り替え指令をＵＥに送信する。
【００８７】
実例２
図３は、本開示の具体例２のデータ中継プロセスのフローチャートである。実例２において、データが５ＧシステムからＬＴＥシステムに転送され、かつＰＧＷ−Ｃ＋ＳＭＦエンティティによって転送トンネルの確立を要求する。実例２のデータ中継プロセスは、以下のステップを含む。
【００８８】
ステップ３０１において、ＮＧ  ＲＡＮは、切り替え要求メッセージをＡＭＦエンティティに送信する。ここで、切り替え要求メッセージには、データ転送が行われるＰＤＵセッションのＱｏＳフロー情報が付帯される。当該ＱｏＳフロー情報は、ＱｏＳフローのＩＤおよび所属するＰＤＵセッションのＩＤを含む。
【００８９】
ステップ３０２において、ＡＭＦエンティティは、ＰＤＵセッションＩＤに基づいて、対応するＰＧＷ−Ｃ＋ＳＭＦエンティティを特定し、データ転送が行われるＰＤＵセッションのＱｏＳフローのＩＤが付帯されるセッション管理要求メッセージを当該ＰＧＷ−Ｃ＋ＳＭＦエンティティに送信する。
【００９０】
ステップ３０３において、ＰＧＷ−Ｃ＋ＳＭＦエンティティは、ＥＰＳベアラーとＱｏＳフローのマッピングパラメータに基づいて、ＰＤＵセッションのＱｏＳフローのＩＤとＥＰＳベアラーＩＤのマッピング関係を特定し、ＱｏＳフローに対応するＥＰＳベアラーコンテキストを特定し、特定されるＥＰＳベアラーコンテキストが付帯されるセッション管理応答メッセージをＡＭＦエンティティに返信する。
【００９１】
ステップ３０４において、ＡＭＦエンティティは、ＰＧＷ−Ｃ＋ＳＭＦエンティティから提供されるマッピングのＥＰＳベアラーコンテキストをフォワードリロケーション要求メッセージによってＭＭＥエンティティに転送する。ここで、ＥＰＳベアラーコンテキストには、転送データの受信が行われるＥＰＳベアラーの情報が含まれる。
【００９２】
ステップ３０５において、ＭＭＥエンティティは、受信したＥＰＳベアラー情報に基づいて、切り替え要求メッセージをＥ−ＵＴＲＡＮの目標基地局ｅＮＢに送信する。ここで、切り替え要求メッセージには、ＥＰＳベアラーＩＤなど、対応するＥＰＳベアラー情報が付帯される。
【００９３】
ステップ３０６において、目標ｅＮＢは、ＥＰＳベアラー情報に基づいて、対応するベアラーに対しＴＥＩＤを割り当てて転送し、切り替え応答メッセージでＴＥＩＤをＭＭＥエンティティに返信する。
【００９４】
ステップ３０７において、ＭＭＥエンティティは、従来のプロセスを利用し、間接的なデータ転送トンネルをＳＧＷとの間で確立してＴＥＩＤを割り当てる。
【００９５】
ステップ３０８において、ＭＭＥエンティティは、フォワードリロケーション応答メッセージをＡＭＦエンティティに送信することによって、データ転送用のＳＧＷに割り当てられるＴＥＩＤおよび関連するＥＰＳベアラーＩＤをＡＭＦエンティティに返信する。
【００９６】
ステップ３０９において、ＡＭＦエンティティは、受信したＥＰＳベアラーＩＤとＰＤＵセッションのＱｏＳフローのマッピング関係に基づいて、転送トンネル確立要求メッセージをＰＧＷ−Ｃ＋ＳＭＦエンティティに送信する。ここで、転送トンネル確立要求メッセージには、ＥＰＳベアラーＩＤとＥＰＳベアラーに対応するＳＧＷ  ＴＥＩＤが付帯される。
【００９７】
ステップ３１０において、ＰＧＷ−Ｃ＋ＳＭＦエンティティは、ＵＥの位置情報に基づいて、データ転送用の中間ＳＭＦエンティティをＰＤＵセッション毎に特定する。
【００９８】
ステップ３１１において、ＰＧＷ−Ｃ＋ＳＭＦエンティティは、特定された中間ＳＭＦエンティティに転送トンネル確立要求メッセージを送信する。ここで、転送トンネル確立要求メッセージには、転送データの受信が行われるＥＰＳベアラーのＩＤとＰＤＵセッションのＱｏＳフローのＩＤのマッピング関係、および、ＥＰＳベアラーに対応するＳＧＷ  ＴＥＩＤが付帯される。
【００９９】
ステップ３１２において、中間ＳＭＦエンティティは、ＵＰＦエンティティを選択し、データ転送用のＮ３インタフェースのコアネットワークトンネルＩＤをＰＤＵセッションに割り当て、ＮＧ  ＲＡＮとの間のＮ３  ＰＤＵセッショントンネルを確立し、ＥＰＳベアラーに対応するＳＧＷ  ＴＥＩＤに基づいて、当該ＵＰＦとデータ転送用のＳＧＷとの間の転送トンネルを確立し、ＥＰＳベアラーＩＤとＰＤＵセッションのＱｏＳフローのＩＤのマッピング関係に基づいて、ＱｏＳフローをＥＰＳベアラーに対応する転送トンネルにバインディングし、ＵＰＦによってパケットのＱｏＳフローのＩＤに基づいてパケットを正しい転送トンネルにマッピング可能にする。
【０１００】
ステップ３１３において、中間ＳＭＦエンティティは、データ転送用のＮ３インタフェースのコアネットワークトンネルＩＤが付帯される転送トンネル確立応答メッセージをＰＧＷ−Ｃ＋ＳＭＦエンティティに送信する。
【０１０１】
ステップ３１４において、ＰＧＷ−Ｃ＋ＳＭＦエンティティは、データ転送用のＮ３インタフェースのコアネットワークトンネルＩＤが付帯される転送トンネル確立応答メッセージをＡＭＦエンティティに送信する。
【０１０２】
ステップ３１５において、ＡＭＦエンティティは、切り替え指令（データ転送用のＮ３インタフェースのコアネットワークトンネルＩＤを付帯可能である）をＮＧ  ＲＡＮに送信する。それによって、ＮＧ  ＲＡＮにバッファされたデータがＵＰＦに転送される。ＵＰＦは、パケットヘッダのＱＦＩに基づいて、パケットを正しい転送トンネルにマッピングする。ＵＰＦは、パケットヘッダのＱＦＩを分離し、データをＳＧＷに転送する。すなわちＡＭＦエンティティは、後の切り替えフローを完成する。
【０１０３】
ステップ３１６において、ＮＧ  ＲＡＮは、切り替え指令をＵＥに送信する。
【０１０４】
上記の実例１と実例２において、データが５ＧシステムからＬＴＥシステムに転送されるが、このデータ転送方式を除き、実例３〜実例５のように、データがＬＴＥシステムから５Ｇシステムに転送されてもよい。
【０１０５】
実例３
図４は、本開示の具体例３のデータ中継プロセスのフローチャートである。実例３において、データがＬＴＥシステムから５Ｇシステムに転送され、かつＡＭＦエンティティによってローカルでＥＰＳベアラーとＰＤＵセッションのマッピングを完成し、転送トンネルの確立を要求する。実例３のデータ中継プロセスは、以下のステップを含む。
【０１０６】
ステップ４０１において、Ｅ−ＵＴＲＡＮのｅＮＢは、切り替え要求メッセージをＭＭＥエンティティに送信する。ここで、切り替え要求メッセージには、データ転送が行われるＥＰＳベアラーのＩＤが付帯される。
【０１０７】
ステップ４０２において、ＭＭＥエンティティは、データ転送が行われるＥＰＳベアラー情報が付帯されるＥＰＳベアラーコンテキストを、フォワードリロケーション要求メッセージによってＡＭＦエンティティに転送する。
【０１０８】
ステップ４０３において、ＡＭＦエンティティは、受信したＥＰＳベアラーコンテキストに基づいて、そのうちの初期設定のベアラーのＩＤをＰＤＵセッションＩＤにマッピングし、すべての専用ベアラーＩＤをＱｏＳフローのＩＤにマッピングし、各ＰＤＵセッションに含まれるＱｏＳフローを特定する。
【０１０９】
ステップ４０４において、ＡＭＦエンティティは、データ転送が行われるＥＰＳベアラーＩＤとステップ４０３のマッピング関係に基づいて、転送データの受信が行われるＰＤＵセッション情報を特定し、切り替え要求メッセージによって目標ＮＧ  ＲＡＮに転送する。
【０１１０】
ステップ４０５において、目標ＮＧ  ＲＡＮは、受信したＰＤＵセッション情報に基づいて、対応するＰＤＵセッションに対して、データ転送用のＮ３インタフェースのアクセスネットワークトンネルを割り当て、切り替え応答メッセージでＡＭＦエンティティに返信する。
【０１１１】
ステップ４０６において、ＡＭＦエンティティは、ＮＧ  ＲＡＮから返信された情報に基づいて、転送データの受信が行われる各ＰＤＵセッションに対し、データ中継用のＳＭＦエンティティを特定する。ここで、ＡＭＦエンティティは、ＵＥの位置情報に基づいてＳＭＦエンティティを特定する。
【０１１２】
ステップ４０７において、ＡＭＦエンティティは、転送トンネル確立要求メッセージをＳＭＦエンティティに送信する。ここで、転送トンネル確立要求メッセージには、ＥＰＳベアラーのＩＤとＰＤＵセッションのＱｏＳフローのＩＤのマッピング関係、ＥＰＳベアラーＩＤ、ＱＦＩ、およびＰＤＵセッションに対応するデータ転送用のＮ３インタフェースのアクセスネットワークトンネル情報が付帯される。
【０１１３】
ステップ４０８において、ＳＭＦエンティティは、ＵＰＦエンティティを選択し、データ転送用のＧＴＰ  ＴＥＩＤをＥＰＳベアラー毎に割り当て、ＮＧ  ＲＡＮとの間のＮ３  ＰＤＵセッショントンネルを確立し、ＥＰＳベアラーをＰＤＵセッションに対応する転送トンネルにバインディングし、ＰＤＵセッションＩＤとＥＰＳベアラーＩＤとのマッピング関係を確立し、ＵＰＦによって、ＥＰＳベアラーに対応するＧＴＰトンネルから受信したパケットに正しいＱｏＳフローのＩＤを付与し、当該パケットを正しいＰＤＵセッションの転送トンネルにマッピング可能にする。
【０１１４】
ステップ４０９において、ＳＭＦエンティティは、データ転送用の割り当てられたＧＴＰ  ＴＥＩＤが付帯される転送トンネル確立応答メッセージをＡＭＦエンティティに送信する。
【０１１５】
ステップ４１０において、ＡＭＦエンティティは、ＧＴＰ  ＴＥＩＤが付帯されるフォワードリロケーション応答メッセージをＭＭＥエンティティに送信する。
【０１１６】
ステップ４１１において、ＭＭＥエンティティは、従来のプロセスを利用し、ＳＧＷとの間で転送トンネルを確立し、すなわちＧＴＰ  ＴＥＩＤが付帯される転送トンネル確立要求メッセージをＳＧＷに送信し、ＳＧＷから送信される転送トンネル確立応答メッセージを受信する。
【０１１７】
ステップ４１２において、ＭＭＥエンティティは、データ転送用のＳＧＷ  ＴＥＩＤを付帯可能な切り替え指令をＮＧ  ＲＡＮに送信する。すなわち、ＭＭＥエンティティによって、後の切り替えフローを完成する。
【０１１８】
ステップ４１３において、ＮＧ  ＲＡＮは、切り替え指令をＵＥに送信する。
【０１１９】
実例４
図５は、本開示の具体例４のデータ中継プロセスのフローチャートである。実例４において、データがＬＴＥシステムから５Ｇシステムに転送され、かつＡＭＦエンティティによって転送トンネルの確立を要求する。実例４のデータ中継プロセスは、以下のステップを含む。
【０１２０】
ステップ５０１において、Ｅ−ＵＴＲＡＮのｅＮＢは、切り替え要求メッセージをＭＭＥエンティティに送信する。ここで、切り替え要求メッセージには、データ転送が行われるＥＰＳベアラーのＩＤが付帯される。
【０１２１】
ステップ５０２において、ＭＭＥエンティティは、ＥＰＳベアラーＩＤをフォワードリロケーション要求メッセージによってＡＭＦエンティティに転送する。
【０１２２】
ステップ５０３において、ＡＭＦエンティティは、受信したＥＰＳベアラーＩＤに基づいて、ＥＰＳベアラーをサービングするＰＧＷ−Ｃ＋ＳＭＦエンティティを特定し、ＥＰＳベアラーＩＤが付帯されるセッション管理要求メッセージをＰＧＷ−Ｃ＋ＳＭＦエンティティに送信する。
【０１２３】
ステップ５０４において、ＰＧＷ−Ｃ＋ＳＭＦエンティティは、ＥＰＳベアラーとＱｏＳフローのマッピングパラメータに基づいて、ＥＰＳベアラーのマッピング先のＱｏＳフローのＩＤおよびＱｏＳフローの所属するＰＤＵセッションのＩＤを特定し、セッション管理応答メッセージによってＡＭＦエンティティに返信する。
【０１２４】
ステップ５０５において、ＡＭＦエンティティは、ＳＭＦエンティティから返信されるＰＤＵセッション情報に基づいて、ＰＤＵセッションＩＤが付帯される切り替え要求メッセージを目標ＮＧ  ＲＡＮに送信する。
【０１２５】
ステップ５０６において、目標ＮＧ  ＲＡＮは、受信したＰＤＵセッション情報に基づいて、対応するＰＤＵセッションに対し、データ転送用のＮ３インタフェースのアクセスネットワークトンネルを割り当て、切り替え応答メッセージでＡＭＦエンティティに返信する。
【０１２６】
ステップ５０７において、ＡＭＦエンティティは、ＮＧ  ＲＡＮから返信された情報に基づいて、データ転送用のＳＭＦエンティティをＰＤＵセッション毎に特定する。ここで、ＡＭＦエンティティは、ＵＥの位置情報に基づいてＳＭＦエンティティを特定する。
【０１２７】
ステップ５０８において、ＡＭＦエンティティは、転送トンネル確立要求メッセージをＳＭＦエンティティに送信する。ここで、転送トンネル確立要求メッセージには、ＥＰＳベアラーのＩＤとＰＤＵセッションのＱｏＳフローのＩＤのマッピング関係、ＥＰＳベアラーＩＤ、ＱＦＩ、およびＰＤＵセッションに対応するデータ転送用のＮ３インタフェースのアクセスネットワークトンネル情報が付帯される。
【０１２８】
ステップ５０９において、ＳＭＦエンティティは、ＵＰＦエンティティを選択し、データ転送用のＧＴＰ  ＴＥＩＤをＥＰＳベアラー毎に割り当て、ＮＧ  ＲＡＮとの間のＮ３  ＰＤＵセッショントンネルを確立し、ＥＰＳベアラーをＰＤＵセッションに対応する転送トンネルにバインディングし、ＰＤＵセッションＩＤとＥＰＳベアラーＩＤとのマッピング関係リストを確立し、ＵＰＦによって、ＥＰＳベアラーに対応するＧＴＰトンネルから受信したパケットに正しいＱｏＳフローのＩＤを付与し、当該パケットを正しいＰＤＵセッションの転送トンネルにマッピング可能にする。
【０１２９】
ステップ５１０において、ＳＭＦエンティティは、データ転送用の割り当てられたＧＴＰ  ＴＥＩＤが付帯される転送トンネル確立応答メッセージをＡＭＦエンティティに送信する。
【０１３０】
ステップ５１１において、ＡＭＦエンティティは、ＧＴＰ  ＴＥＩＤが付帯されるフォワードリロケーション応答メッセージをＭＭＥエンティティに送信する。
【０１３１】
ステップ５１２において、ＭＭＥエンティティは、従来のプロセスを利用し、ＳＧＷとの間で転送トンネルを確立し、すなわちＧＴＰ  ＴＥＩＤが付帯される転送トンネル確立要求メッセージをＳＧＷに送信し、ＳＧＷから送信される転送トンネル確立応答メッセージを受信する。
【０１３２】
ステップ５１３において、ＭＭＥエンティティは、データ転送用のＳＧＷ  ＴＥＩＤを付帯可能な切り替え指令をＮＧ  ＲＡＮに送信する。すなわち、ＭＭＥエンティティによって、後の切り替えフローを完成する。
【０１３３】
ステップ５１４において、ＮＧ  ＲＡＮは、切り替え指令をＵＥに送信する。
【０１３４】
実例５
図６は、本開示の具体例５のデータ中継プロセスのフローチャートである。実例５において、データがＬＴＥシステムから５Ｇシステムに転送され、かつＰＧＷ−Ｃ＋ＳＭＦエンティティによって転送トンネルの確立を要求する。実例５のデータ中継プロセスは、以下のステップを含む。
【０１３５】
ステップ６０１において、Ｅ−ＵＴＲＡＮのｅＮＢは、切り替え要求メッセージをＭＭＥエンティティに送信する。ここで、切り替え要求メッセージには、データ転送が行われるＥＰＳベアラーのＩＤが付帯される。
【０１３６】
ステップ６０２において、ＭＭＥエンティティは、ＥＰＳベアラーＩＤをフォワードリロケーション要求メッセージによってＡＭＦエンティティに転送する。
【０１３７】
ステップ６０３において、ＡＭＦエンティティは、受信したＥＰＳベアラーＩＤに基づいて、ＥＰＳベアラーをサービングするＰＧＷ−Ｃ＋ＳＭＦエンティティを特定し、ＥＰＳベアラーＩＤが付帯されるセッション管理要求メッセージをＰＧＷ−Ｃ＋ＳＭＦエンティティに送信する。
【０１３８】
ステップ６０４において、ＰＧＷ−Ｃ＋ＳＭＦエンティティは、ＥＰＳベアラーとＱｏＳフローのマッピングパラメータに基づいて、ＥＰＳベアラーのマッピング先のＱｏＳフローのＩＤおよびＱｏＳフローの所属するＰＤＵセッションのＩＤを特定し、セッション管理応答メッセージによってＡＭＦエンティティに返信する。
【０１３９】
ステップ６０５において、ＡＭＦエンティティは、ＳＭＦエンティティから返信されるＰＤＵセッション情報に基づいて、ＰＤＵセッションＩＤが付帯される切り替え要求メッセージを目標ＮＧ  ＲＡＮに送信する。
【０１４０】
ステップ６０６において、目標ＮＧ  ＲＡＮは、受信したＰＤＵセッション情報に基づいて、データ転送用のＮ３インタフェースのアクセスネットワークトンネルを、転送データの受信が行われる各ＰＤＵセッションに割り当て、切り替え応答メッセージでＡＭＦエンティティに返信する。
【０１４１】
ステップ６０７において、ＡＭＦエンティティは、ＮＧ  ＲＡＮから返信された情報に基づいて、転送トンネル確立要求メッセージをＰＧＷ−Ｃ＋ＳＭＦエンティティに送信し、データ中継用のＳＭＦエンティティを特定するように、ＰＧＷ−Ｃ＋ＳＭＦエンティティに要求する。ここで、転送トンネル確立要求メッセージには、ＥＰＳベアラーのＩＤ、および、ＥＰＳベアラーに対応するＰＤＵセッションに対応するデータ転送用のアクセスネットワークトンネル情報が付帯される。
【０１４２】
ステップ６０８において、ＰＧＷ−Ｃ＋ＳＭＦエンティティは、ＵＥの位置情報に基づいて、データ中継用のＳＭＦエンティティを特定する。
【０１４３】
ステップ６０９において、ＰＧＷ−Ｃ＋ＳＭＦエンティティは、転送トンネル確立要求メッセージをＳＭＦエンティティに送信する。ここで、転送トンネル確立要求メッセージには、ＥＰＳベアラーＩＤとＰＤＵセッションのＱｏＳフローのＩＤのマッピング関係、ＥＰＳベアラーＩＤ、ＱＦＩおよびＰＤＵセッションに対応するデータ転送用のＮ３インタフェースのアクセスネットワークトンネル情報が付帯される。
【０１４４】
ステップ６１０において、ＳＭＦエンティティは、ＵＰＦエンティティを選択し、データ転送用のＧＴＰ  ＴＥＩＤをＥＰＳベアラー毎に割り当て、ＮＧ  ＲＡＮとの間のＮ３  ＰＤＵセッショントンネルを確立し、ＥＰＳベアラーをＰＤＵセッションに対応する転送トンネルにバインディングし、ＰＤＵセッションＩＤとＥＰＳベアラーＩＤとのマッピング関係リストを確立し、ＵＰＦによって、ＥＰＳベアラーに対応するＧＴＰトンネルから受信したパケットに正しいＱｏＳフローのＩＤを付与し、当該パケットを正しいＰＤＵセッションの転送トンネルにマッピング可能にする。
【０１４５】
ステップ６１１において、ＳＭＦエンティティは、データ転送用の割り当てられたＧＴＰ  ＴＥＩＤが付帯される転送トンネル確立応答メッセージをＰＧＷ−Ｃ＋ＳＭＦエンティティに送信する。
【０１４６】
ステップ６１２において、ＰＧＷ−Ｃ＋ＳＭＦエンティティは、データ転送用のＧＴＰ  ＴＥＩＤが付帯される転送トンネル確立応答メッセージをＡＭＦエンティティに送信する。
【０１４７】
ステップ６１３において、ＡＭＦエンティティは、ＧＴＰ  ＴＥＩＤが付帯されるフォワードリロケーション応答メッセージをＭＭＥエンティティに送信する。
【０１４８】
ステップ６１４において、ＭＭＥエンティティは、従来のプロセスを利用し、ＳＧＷとの間で転送トンネルを確立し、すなわちＧＴＰ  ＴＥＩＤが付帯される転送トンネル確立要求メッセージをＳＧＷに送信し、ＳＧＷから送信される転送トンネル確立応答メッセージを受信する。
【０１４９】
ステップ６１５において、ＭＭＥエンティティは、データ転送用のＳＧＷ  ＴＥＩＤを付帯可能な切り替え指令をＮＧ  ＲＡＮに送信する。すなわち、ＭＭＥエンティティによって、後の切り替えフローを完成する。
【０１５０】
ステップ６１６において、ＮＧ  ＲＡＮは、切り替え指令をＵＥに送信する。
【０１５１】
図７に示すように、本開示の実施例は、ＳＭＦエンティティに応用されるデータ中継方法をさらに提供する。当該方法において、以下のステップを含む。
【０１５２】
ステップ７０１において、ＡＭＦエンティティまたはＰＧＷ−Ｃ＋ＳＭＦエンティティから送信されるＥＰＳベアラー情報とＰＤＵセッション情報のマッピング関係を受信する。
【０１５３】
ここで、本開示の実施例は、５ＧネットワークとＬＴＥネットワークの相互操作シーンに適用可能であり、データが５ＧシステムからＬＴＥシステムに転送されてもよく、ＬＴＥシステムから５Ｇシステムに転送されてもよい。データが５ＧシステムからＬＴＥシステムに転送される場合、当該ＥＰＳベアラー情報とＰＤＵセッション情報のマッピング関係は、具体的に、転送データの受信が行われるＥＰＳベアラーのＩＤとＰＤＵセッションのＱｏＳフローのＩＤのマッピング関係である。一方、データがＬＴＥシステムから５Ｇシステムに転送される場合、当該ＥＰＳベアラー情報とＰＤＵセッション情報のマッピング関係は、具体的に、転送データの受信が行われるＰＤＵセッションのＩＤおよびＰＤＵセッションのうち関連ＱｏＳフローのＩＤとＥＰＳベアラーのＩＤのマッピング関係である。
【０１５４】
ステップ７０２において、ＥＰＳベアラー情報とＰＤＵセッション情報のマッピング関係に基づいて、データ転送トンネルを設定する。
【０１５５】
ここで、ＥＰＳベアラー情報とＰＤＵセッション情報のマッピング関係が、転送データの受信が行われるＥＰＳベアラーのＩＤとＰＤＵセッションのＱｏＳフローのＩＤのマッピング関係である場合、ステップ７０２のデータ転送トンネル設定プロセスにおいて、ＵＰＦエンティティを選択するステップと、データ転送用のコアネットワークトンネルＩＤをＰＤＵセッションに割り当て、ＵＰＦエンティティとデータ転送用のＳＧＷとの間の転送トンネルと、ＵＰＦエンティティと５ＧシステムのＮＧ  ＲＡＮとの間のＰＤＵセッショントンネルを設定するステップと、転送データの受信が行われるＥＰＳベアラーのＩＤとＰＤＵセッションのＱｏＳフローのＩＤのマッピング関係に基づいて、ＰＤＵセッションのＱｏＳフローを転送データの受信が行われるＥＰＳベアラーに対応する転送トンネルにバインディングし、ＵＰＦエンティティによってパケットのＱｏＳフローのＩＤに基づいて当該パケットを正しいＥＰＳベアラーの転送トンネルに転送可能にするステップとを含む。
【０１５６】
一方、ＥＰＳベアラー情報とＰＤＵセッション情報のマッピング関係が、転送データの受信が行われるＰＤＵセッションのＩＤおよびＰＤＵセッションのうち関連ＱｏＳフローのＩＤとＥＰＳベアラーのＩＤのマッピング関係である場合、ステップ７０２のデータ転送トンネル設定プロセスにおいて、ＵＰＦエンティティを選択するステップと、データ転送用のトンネルエンドポイントＩＤをＥＰＳベアラーに割り当て、ＵＰＦエンティティと５ＧシステムのＮＧ  ＲＡＮとのＰＤＵセッショントンネルを設定するステップと、転送データの受信が行われるＰＤＵセッションのＩＤおよびＰＤＵセッションのうち関連ＱｏＳフローのＩＤとＥＰＳベアラーのＩＤのマッピング関係に基づいて、ＥＰＳベアラーを転送データの受信が行われるＰＤＵセッションに対応する転送トンネルにバインディングし、ＵＰＦエンティティによって、ＥＰＳベアラーのトンネルから受信したパケットに正しいＱｏＳフローのＩＤを付与して正しいＰＤＵセッションの転送トンネルに転送可能にするステップとを含む。
【０１５７】
このように、本開示の実施例のデータ中継方法によれば、データ転送が正しく行われるうえに、転送データの伝送冗長を回避し、データ転送の遅延を減少させ、転送データの伝送効率を向上させることができる。
【０１５８】
上記実施例は、本開示のデータ中継方法を説明したが、以下、実施例と図面を通じて本開示のデータ中継装置を説明する。
【０１５９】
図８に示すように、本開示の実施例は、ネットワーク機能エンティティに応用されるデータ中継装置を提供する。当該装置は、ＥＰＳベアラー情報とＰＤＵセッション情報のマッピング関係を取得する第１取得モジュール８０１と、データ転送用のＳＭＦエンティティを特定する特定モジュール８０２と、ＳＭＦエンティティによって前記ＥＰＳベアラー情報とＰＤＵセッション情報のマッピング関係に基づいてデータ転送トンネルを設定するよう、前記ＥＰＳベアラー情報とＰＤＵセッション情報のマッピング関係を前記ＳＭＦエンティティに送信する第１送信モジュール８０３とを含む。
【０１６０】
本開示の実施例のデータ中継装置は、ＥＰＳベアラー情報とＰＤＵセッション情報のマッピング関係を取得することによってデータ転送用のＳＭＦエンティティを特定し、ＥＰＳベアラー情報とＰＤＵセッション情報のマッピング関係をＳＭＦエンティティに送信し、ＳＭＦエンティティによって、ＥＰＳベアラー情報とＰＤＵセッション情報のマッピング関係に基づいてデータ転送トンネルを設定するため、ＰＧＷ−Ｕ＋ＵＰＦエンティティをデータ転送ノードをすることを回避でき、転送データの伝送冗長を回避し、データ転送の遅延を減少させ、転送データの伝送効率を向上させることができる。
【０１６１】
ここで、前記ネットワーク機能エンティティは、ＡＭＦエンティティであり、または、ＰＧＷ−Ｃ＋ＳＭＦエンティティである。
【０１６２】
本開示の実施例において、データが５ＧシステムからＬＴＥシステムに転送される場合、前記第１取得モジュール８０１は、具体的に、転送データの受信が行われるＥＰＳベアラーのＩＤと、ＰＤＵセッションのＱｏＳフローのＩＤとのマッピング関係を取得する。
【０１６３】
本開示の実施例において、前記ネットワーク機能エンティティは、ＡＭＦエンティティである。図９に示すように、前記装置は、転送データの受信が行われるＥＰＳベアラーのＩＤをＭＭＥエンティティから取得する第２取得モジュール８０４をさらに含む。
【０１６４】
さらに、図９に示すように、前記装置は、転送データの受信が行われるＥＰＳベアラーのＩＤの候補を前記ＭＭＥエンティティに提供する第２送信モジュール８０５をさらに含む。
【０１６５】
さらに、図９に示すように、前記装置は、データ転送が行われるＰＤＵセッションのＱｏＳフローのＩＤを５ＧシステムのＮＧ  ＲＡＮから取得する第３取得モジュール８０６と、ＰＤＵセッションのＱｏＳフローのＩＤとＥＰＳベアラーのＩＤのマッピング関係をＰＧＷ−Ｃ＋ＳＭＦエンティティから取得する第４取得モジュール８０７と、前記ＰＤＵセッションのＱｏＳフローのＩＤとＥＰＳベアラーのＩＤのマッピング関係に基づいて、前記データ転送が行われるＰＤＵセッションのＱｏＳフローのＩＤに対応する、転送データの受信が行われるＥＰＳベアラーのＩＤの候補を特定する第１特定モジュール８０８とをさらに含む。
【０１６６】
本開示の実施例において、データがＬＴＥシステムから５Ｇシステムに転送される場合、前記第１取得モジュール８０１は、具体的に、転送データの受信が行われるＰＤＵセッションのＩＤおよび前記ＰＤＵセッションのうちの関連ＱｏＳフローのＩＤとＥＰＳベアラーのＩＤのマッピング関係を取得する。
【０１６７】
本開示の実施例において、前記ネットワーク機能エンティティは、ＡＭＦエンティティである。図１０に示すように、前記装置は、転送データの受信が行われるＰＤＵセッションのＱｏＳフローのＩＤを５ＧシステムのＮＧ  ＲＡＮから取得する第５取得モジュール８０９をさらに含む。
【０１６８】
さらに、図１０に示すように、前記装置は、転送データの受信が行われるＰＤＵセッションのＱｏＳフローのＩＤの候補を前記ＮＧ  ＲＡＮに提供する第３送信モジュール８１０をさらに含む。
【０１６９】
さらに、図１０に示すように、前記装置は、データ伝送が行われるＥＰＳベアラーのＩＤをＭＭＥエンティティから取得する第６取得モジュール８１１と、前記データ伝送が行われるＥＰＳベアラーのＩＤに基づいて、前記転送データの受信が行われるＰＤＵセッションのＱｏＳフローのＩＤの候補を特定する第２特定モジュール８１２とをさらに含む。
【０１７０】
本開示の実施例において、前記特定モジュール８０２は、具体的に、ＵＥの位置情報および／またはデータ転送に関連するＰＤＵセッション情報に基づいて、データ転送用の前記ＳＭＦエンティティを特定する。ここで、データ転送に関連するＰＤＵセッションは、データ転送が行われるＰＤＵセッションであり、または、データ転送が行われるＥＰＳベアラーに対応するＰＤＵセッションである。前記ＰＤＵセッション情報は、ＰＤＵセッションに対応するデータ網名称およびＰＤＵセッションの所属するネットワークスライシング情報の１つまたは複数を含む。
【０１７１】
本開示の実施例において、前記ネットワーク機能エンティティは、ＰＧＷ−Ｃ＋ＳＭＦエンティティである。前記特定モジュール８０２は、具体的に、ＡＭＦエンティティから送信される要求メッセージを受信し、前記要求メッセージに基づいて、データ転送用の前記ＳＭＦエンティティを特定する。
【０１７２】
図１１に示すように、本開示の実施例は、ＳＭＦエンティティに応用されるデータ中継装置をさらに提供する。当該装置は、ＡＭＦエンティティまたはＰＧＷ−Ｃ＋ＳＭＦエンティティから送信されるＥＰＳベアラー情報とＰＤＵセッション情報のマッピング関係を受信する受信モジュール１１１と、前記ＥＰＳベアラー情報とＰＤＵセッション情報のマッピング関係に基づいて、データ転送トンネルを設定する設定モジュール１１２とを含む。
【０１７３】
本開示の実施例において、データが５ＧシステムからＬＴＥシステムに転送される場合、前記ＥＰＳベアラー情報とＰＤＵセッション情報のマッピング関係は、転送データの受信が行われるＥＰＳベアラーのＩＤとＰＤＵセッションのＱｏＳフローのＩＤのマッピング関係である。前記設定モジュール１１２は、ＵＰＦエンティティを選択する第１選択ユニットと、データ転送用のコアネットワークトンネルＩＤをＰＤＵセッションに割り当て、前記ＵＰＦエンティティとデータ転送用のＳＧＷとの間の転送トンネルと、前記ＵＰＦエンティティと５ＧシステムのＮＧ  ＲＡＮとの間のＰＤＵセッショントンネルを設定する第１設定ユニットと、前記ＵＰＦエンティティによってパケットのＱｏＳフローのＩＤに基づいて前記パケットを正しいＥＰＳベアラーの転送トンネルに転送可能にするよう、前記転送データの受信が行われるＥＰＳベアラーのＩＤとＰＤＵセッションのＱｏＳフローのＩＤのマッピング関係に基づいて、前記ＰＤＵセッションのＱｏＳフローを前記転送データの受信が行われるＥＰＳベアラーに対応する転送トンネルにバインディングする第１バインディングユニットとを含む。
【０１７４】
本開示の実施例において、データがＬＴＥシステムから５Ｇシステムに転送される場合、前記ＥＰＳベアラー情報とＰＤＵセッション情報のマッピング関係は、転送データの受信が行われるＰＤＵセッションのＩＤおよび前記ＰＤＵセッションのうち関連ＱｏＳフローのＩＤとＥＰＳベアラーのＩＤのマッピング関係である。前記設定モジュール１１２は、ＵＰＦエンティティを選択する第２選択ユニットと、データ転送用のトンネルエンドポイントＩＤをＥＰＳベアラーに割り当て、前記ＵＰＦエンティティと５ＧシステムのＮＧ  ＲＡＮとのＰＤＵセッショントンネルを設定する第２設定ユニットと、前記ＵＰＦエンティティによって、前記ＥＰＳベアラーのトンネルから受信したパケットに正しいＱｏＳフローのＩＤを付与して正しいＰＤＵセッションの転送トンネルに転送可能にするよう、前記転送データの受信が行われるＰＤＵセッションのＩＤおよび前記ＰＤＵセッションのうち関連ＱｏＳフローのＩＤとＥＰＳベアラーのＩＤのマッピング関係に基づいて、前記ＥＰＳベアラーを前記転送データの受信が行われるＰＤＵセッションに対応する転送トンネルにバインディングする第２バインディングユニットとを含む。
【０１７５】
また、本開示の実施例は、メモリと、プロセッサと、前記メモリに記憶されて前記プロセッサで実行可能なコンピュータプログラムを含むネットワーク機能エンティティをさらに提供する。前記プロセッサは、前記プログラムを実行すると、ＥＰＳベアラー情報とＰＤＵセッション情報のマッピング関係を取得するステップと、データ転送用のＳＭＦエンティティを特定するステップと、ＳＭＦエンティティによって前記ＥＰＳベアラー情報とＰＤＵセッション情報のマッピング関係に基づいてデータ転送トンネルを設定するよう、前記ＥＰＳベアラー情報とＰＤＵセッション情報のマッピング関係を前記ＳＭＦエンティティに送信するステップとを実現する。
【０１７６】
本開示の実施例は、メモリと、プロセッサと、前記メモリに記憶されて前記プロセッサで実行可能なコンピュータプログラムを含むＳＭＦエンティティをさらに提供する。前記プロセッサは、前記プログラムを実行すると、ＡＭＦエンティティまたはＰＧＷ−Ｃ＋ＳＭＦエンティティから送信されるＥＰＳベアラー情報とＰＤＵセッション情報のマッピング関係を受信するステップと、前記ＥＰＳベアラー情報とＰＤＵセッション情報のマッピング関係に基づいて、データ転送トンネルを設定するステップとを実現する。
【０１７７】
具体的に、図１２に示すように、本開示の実施例は、バス１２１と、トランシーバ１２２と、アンテナ１２３と、バスインタフェース１２４と、プロセッサ１２５と、メモリ１２６とを含むネットワーク機能エンティティをさらに提供する。
【０１７８】
プロセッサ１２５は、メモリ１２６からプログラムを読み取ることによって、ＥＰＳベアラー情報とＰＤＵセッション情報のマッピング関係を取得してデータ転送用のＳＭＦエンティティを特定するプロセスと、前記ＥＰＳベアラー情報とＰＤＵセッション情報のマッピング関係を前記ＳＭＦエンティティに送信するようにトランシーバ１２２を制御するプロセスとを実行し、前記ＳＭＦエンティティによって前記ＥＰＳベアラー情報とＰＤＵセッション情報のマッピング関係に基づいてデータ転送トンネルを設定する。
【０１７９】
トランシーバ１２２は、プロセッサ１２５による制御でデータを送受信する。
【０１８０】
具体的に、前記ネットワーク機能エンティティは、ＡＭＦエンティティであり、または、ＰＧＷ−Ｃ＋ＳＭＦエンティティである。
【０１８１】
具体的に、データが５ＧシステムからＬＴＥシステムに転送される場合、プロセッサ１２５は、さらに、転送データの受信が行われるＥＰＳベアラーのＩＤと、ＰＤＵセッションのＱｏＳフローのＩＤとのマッピング関係を取得する。
【０１８２】
具体的に、前記ネットワーク機能エンティティがＡＭＦエンティティであり、プロセッサ１２５は、さらに、転送データの受信が行われるＥＰＳベアラーのＩＤをＭＭＥエンティティから取得するようにトランシーバ１２２を制御する。
【０１８３】
具体的に、プロセッサ１２５は、さらに、転送データの受信が行われるＥＰＳベアラーのＩＤの候補を前記ＭＭＥエンティティに提供するようにトランシーバ１２２を制御する。
【０１８４】
具体的に、プロセッサ１２５は、さらに、データ転送が行われるＰＤＵセッションのＱｏＳフローのＩＤを５ＧシステムのＮＧ  ＲＡＮから取得し、ＰＤＵセッションのＱｏＳフローのＩＤとＥＰＳベアラーのＩＤのマッピング関係をＰＧＷ−Ｃ＋ＳＭＦエンティティから取得するようにトランシーバ１２２を制御し、前記ＰＤＵセッションのＱｏＳフローのＩＤとＥＰＳベアラーのＩＤのマッピング関係に基づいて、前記データ転送が行われるＰＤＵセッションのＱｏＳフローのＩＤに対応する、転送データの受信が行われるＥＰＳベアラーのＩＤの候補を特定する。
【０１８５】
具体的に、データがＬＴＥシステムから５Ｇシステムに転送される場合、プロセッサ１２５は、さらに、転送データの受信が行われるＰＤＵセッションのＩＤおよび前記ＰＤＵセッションのうちの関連ＱｏＳフローのＩＤとＥＰＳベアラーのＩＤのマッピング関係を取得する。
【０１８６】
具体的に、前記ネットワーク機能エンティティがＡＭＦエンティティであり、プロセッサ１２５は、さらに、転送データの受信が行われるＰＤＵセッションのＱｏＳフローのＩＤを５ＧシステムのＮＧ  ＲＡＮから取得するようにトランシーバ１２２を制御する。
【０１８７】
具体的に、プロセッサ１２５は、さらに、転送データの受信が行われるＰＤＵセッションのＱｏＳフローのＩＤの候補を前記ＮＧ  ＲＡＮに提供するようにトランシーバ１２２を制御する。
【０１８８】
具体的に、プロセッサ１２５は、さらに、データ伝送が行われるＥＰＳベアラーのＩＤをＭＭＥエンティティから取得するようにトランシーバ１２２を制御し、前記データ伝送が行われるＥＰＳベアラーのＩＤに基づいて、前記転送データの受信が行われるＰＤＵセッションのＱｏＳフローのＩＤの候補を特定する。
【０１８９】
具体的に、プロセッサ１２５は、さらに、ＵＥの位置情報および／またはデータ転送に関連するＰＤＵセッション情報に基づいて、データ転送用の前記ＳＭＦエンティティを特定する。ここで、データ転送に関連するＰＤＵセッションは、データ転送が行われるＰＤＵセッションであり、または、データ転送が行われるＥＰＳベアラーに対応するＰＤＵセッションである。前記ＰＤＵセッション情報は、ＰＤＵセッションに対応するデータ網名称およびＰＤＵセッションの所属するネットワークスライシング情報の１つまたは複数を含む。
【０１９０】
具体的に、前記ネットワーク機能エンティティがＰＧＷ−Ｃ＋ＳＭＦエンティティであり、プロセッサ１２５は、さらに、ＡＭＦエンティティから送信される要求メッセージを受信するようにトランシーバ１２２を制御し、前記要求メッセージに基づいて、データ転送用の前記ＳＭＦエンティティを特定する。
【０１９１】
また、図１２に示すネットワーク機能エンティティは、ＳＭＦエンティティであってもよい。図１２に示すネットワーク機能エンティティがＳＭＦエンティティである場合、プロセッサ１２５は、メモリ１２６からプログラムを読み取ることによって、ＡＭＦエンティティまたはＰＧＷ−Ｃ＋ＳＭＦエンティティから送信されるＥＰＳベアラー情報とＰＤＵセッション情報のマッピング関係を受信するようにトランシーバ１２２を制御し、前記ＥＰＳベアラー情報とＰＤＵセッション情報のマッピング関係に基づいて、データ転送トンネルを設定する。
【０１９２】
具体的に、データが５ＧシステムからＬＴＥシステムに転送される場合、前記ＥＰＳベアラー情報とＰＤＵセッション情報のマッピング関係は、転送データの受信が行われるＥＰＳベアラーのＩＤとＰＤＵセッションのＱｏＳフローのＩＤのマッピング関係である。プロセッサ１２５は、さらに、ＵＰＦエンティティを選択する。プロセッサ１２５は、さらに、データ転送用のコアネットワークトンネルＩＤをＰＤＵセッションに割り当て、前記ＵＰＦエンティティとデータ転送用のＳＧＷとの間の転送トンネルと、前記ＵＰＦエンティティと５ＧシステムのＮＧ  ＲＡＮとの間のＰＤＵセッショントンネルを設定する。プロセッサ１２５は、さらに、前記転送データの受信が行われるＥＰＳベアラーのＩＤとＰＤＵセッションのＱｏＳフローのＩＤのマッピング関係に基づいて、前記ＰＤＵセッションのＱｏＳフローを前記転送データの受信が行われるＥＰＳベアラーに対応する転送トンネルにバインディングし、前記ＵＰＦエンティティによってパケットのＱｏＳフローのＩＤに基づいて前記パケットを正しいＥＰＳベアラーの転送トンネルに転送可能にする。
【０１９３】
具体的に、データがＬＴＥシステムから５Ｇシステムに転送される場合、前記ＥＰＳベアラー情報とＰＤＵセッション情報のマッピング関係は、転送データの受信が行われるＰＤＵセッションのＩＤおよび前記ＰＤＵセッションのうち関連ＱｏＳフローのＩＤとＥＰＳベアラーのＩＤのマッピング関係である。プロセッサ１２５は、さらに、ＵＰＦエンティティを選択する。プロセッサ１２５は、さらに、データ転送用のトンネルエンドポイントＩＤをＥＰＳベアラーに割り当て、前記ＵＰＦエンティティと５ＧシステムのＮＧ  ＲＡＮとのＰＤＵセッショントンネルを設定する。プロセッサ１２５は、さらに、前記転送データの受信が行われるＰＤＵセッションのＩＤおよび前記ＰＤＵセッションのうち関連ＱｏＳフローのＩＤとＥＰＳベアラーのＩＤのマッピング関係に基づいて、前記ＥＰＳベアラーを前記転送データの受信が行われるＰＤＵセッションに対応する転送トンネルにバインディングし、前記ＵＰＦエンティティによって、前記ＥＰＳベアラーのトンネルから受信したパケットに正しいＱｏＳフローのＩＤを付与して正しいＰＤＵセッションの転送トンネルに転送可能にする。
【０１９４】
図１２において、バスアーキテクチャ（バス１２１で示す）は、任意数の相互接続するバスとブリッジを含む。バス１２１は、プロセッサ１２５をはじめとする１つ又は複数のプロセッサとメモリ１２６をはじめとするメモリの各種類の回路が接続したものである。バス１２１は、周辺イクイップメント、レギュレーター、電力管理回路などの各種類のほかの回路を接続したものであってもよい。これらは、いずれも本分野の公知事項であり、本文においてさらなる記載をしない。バスインタフェース１２４により、バス１２１とトランシーバ１２２との間でインタフェースが提供される。トランシーバ１２２は、１つの部品であってもよく、複数の受信機および送信機など、複数の部品であってもよく、伝送媒体でほかの各種類の装置と通信するユニットとして提供される。プロセッサ１２５によって処理されたデータは、アンテナ１２３を介して無線媒体で伝送される。さらに、アンテナ１２３は、データを受信し、データをプロセッサ１２５に伝送する。
【０１９５】
プロセッサ１２５は、バス１２１と通常の処理を管理し、さらに計時、周囲インタフェース、電圧調節、電源管理およびほかの制御機能など、様々な機能も提供する。メモリ１２６は、プロセッサ１２５による操作実行に用いられるデータを記憶することに用いられる。
【０１９６】
選択可能に、プロセッサ１２５は、ＣＰＵ、ＡＳＩＣ、ＦＰＧＡまたはＣＰＬＤである。
【０１９７】
また、本開示の実施例は、コンピュータプログラムが記憶されているコンピュータ読み取り可能な記憶媒体をさらに提供する。前記プログラムがプロセッサによって実行されると、ＥＰＳベアラー情報とＰＤＵセッション情報のマッピング関係を取得するステップと、データ転送用のＳＭＦエンティティを特定するステップと、前記ＥＰＳベアラー情報とＰＤＵセッション情報のマッピング関係を前記ＳＭＦエンティティに送信し、前記ＳＭＦエンティティによって、前記ＥＰＳベアラー情報とＰＤＵセッション情報のマッピング関係に基づいてデータ転送トンネルを設定するステップとを実現する。
【０１９８】
選択可能に、前記ネットワーク機能エンティティは、ＡＭＦエンティティであり、または、ＰＧＷ−Ｃ＋ＳＭＦエンティティである。
【０１９９】
選択可能に、データが５ＧシステムからＬＴＥシステムに転送される場合、前記プログラムがプロセッサによって実行されると、さらに、転送データの受信が行われるＥＰＳベアラーのＩＤと、ＰＤＵセッションのＱｏＳフローのＩＤとのマッピング関係を取得するステップを実現する。
【０２００】
選択可能に、前記ネットワーク機能エンティティがＡＭＦエンティティであり、前記プログラムがプロセッサによって実行されると、さらに、転送データの受信が行われるＥＰＳベアラーのＩＤをＭＭＥエンティティから取得するステップを実現する。
【０２０１】
選択可能に、前記プログラムがプロセッサによって実行されると、さらに、転送データの受信が行われるＥＰＳベアラーのＩＤの候補を前記ＭＭＥエンティティに提供するステップを実現する。
【０２０２】
選択可能に、前記プログラムがプロセッサによって実行されると、さらに、データ転送が行われるＰＤＵセッションのＱｏＳフローのＩＤを５ＧシステムのＮＧ  ＲＡＮから取得するステップと、ＰＤＵセッションのＱｏＳフローのＩＤとＥＰＳベアラーのＩＤのマッピング関係をＰＧＷ−Ｃ＋ＳＭＦエンティティから取得するステップと、前記ＰＤＵセッションのＱｏＳフローのＩＤとＥＰＳベアラーのＩＤのマッピング関係に基づいて、前記データ転送が行われるＰＤＵセッションのＱｏＳフローのＩＤに対応する、転送データの受信が行われるＥＰＳベアラーのＩＤの候補を特定するステップとを実現する。
【０２０３】
選択可能に、データがＬＴＥシステムから５Ｇシステムに転送される場合、前記プログラムがプロセッサによって実行されると、さらに、転送データの受信が行われるＰＤＵセッションのＩＤおよび前記ＰＤＵセッションのうちの関連ＱｏＳフローのＩＤとＥＰＳベアラーのＩＤのマッピング関係を取得するステップを実現する。
【０２０４】
選択可能に、前記ネットワーク機能エンティティがＡＭＦエンティティであり、前記プログラムがプロセッサによって実行されると、さらに、転送データの受信が行われるＰＤＵセッションのＱｏＳフローのＩＤを５ＧシステムのＮＧ  ＲＡＮから取得するステップを実現する。
【０２０５】
選択可能に、前記プログラムがプロセッサによって実行されると、さらに、転送データの受信が行われるＰＤＵセッションのＱｏＳフローのＩＤの候補を前記ＮＧ  ＲＡＮに提供するステップを実現する。
【０２０６】
選択可能に、前記プログラムがプロセッサによって実行されると、さらに、データ伝送が行われるＥＰＳベアラーのＩＤをＭＭＥエンティティから取得するステップと、前記データ伝送が行われるＥＰＳベアラーのＩＤに基づいて、前記転送データの受信が行われるＰＤＵセッションのＱｏＳフローのＩＤの候補を特定するステップとを実現する。
【０２０７】
選択可能に、前記プログラムがプロセッサによって実行されると、さらに、ＵＥの位置情報および／またはデータ転送に関連するＰＤＵセッション情報に基づいて、データ転送用の前記ＳＭＦエンティティを特定するステップを実現する。ここで、データ転送に関連するＰＤＵセッションは、データ転送が行われるＰＤＵセッションであり、または、データ転送が行われるＥＰＳベアラーに対応するＰＤＵセッションである。前記ＰＤＵセッション情報は、ＰＤＵセッションに対応するデータ網名称およびＰＤＵセッションの所属するネットワークスライシング情報の１つまたは複数を含む。
【０２０８】
選択可能に、前記ネットワーク機能エンティティがＰＧＷ−Ｃ＋ＳＭＦエンティティであり、前記プログラムがプロセッサによって実行されると、さらに、ＡＭＦエンティティから送信される要求メッセージを受信し、前記要求メッセージに基づいて、データ転送用の前記ＳＭＦエンティティを特定するステップを実現する。
【０２０９】
また、本開示の実施例は、コンピュータプログラムが記憶されているコンピュータ読み取り可能な記憶媒体をさらに提供する。前記プログラムがプロセッサによって実行されると、ＡＭＦエンティティまたはＰＧＷ−Ｃ＋ＳＭＦエンティティから送信されるＥＰＳベアラー情報とＰＤＵセッション情報のマッピング関係を受信するステップと、前記ＥＰＳベアラー情報とＰＤＵセッション情報のマッピング関係に基づいて、データ転送トンネルを設定するステップとを実現する。
【０２１０】
選択可能に、データが５ＧシステムからＬＴＥシステムに転送される場合、前記ＥＰＳベアラー情報とＰＤＵセッション情報のマッピング関係は、転送データの受信が行われるＥＰＳベアラーのＩＤとＰＤＵセッションのＱｏＳフローのＩＤのマッピング関係である。前記プログラムがプロセッサによって実行されると、さらに、ＵＰＦエンティティを選択するステップと、データ転送用のコアネットワークトンネルＩＤをＰＤＵセッションに割り当て、前記ＵＰＦエンティティとデータ転送用のＳＧＷとの間の転送トンネルと、前記ＵＰＦエンティティと５ＧシステムのＮＧ  ＲＡＮとの間のＰＤＵセッショントンネルを設定するステップと、前記転送データの受信が行われるＥＰＳベアラーのＩＤとＰＤＵセッションのＱｏＳフローのＩＤのマッピング関係に基づいて、前記ＰＤＵセッションのＱｏＳフローを前記転送データの受信が行われるＥＰＳベアラーに対応する転送トンネルにバインディングし、前記ＵＰＦエンティティによってパケットのＱｏＳフローのＩＤに基づいて前記パケットを正しいＥＰＳベアラーの転送トンネルに転送可能にするステップとを実現する。
【０２１１】
選択可能に、データがＬＴＥシステムから５Ｇシステムに転送される場合、前記ＥＰＳベアラー情報とＰＤＵセッション情報のマッピング関係は、転送データの受信が行われるＰＤＵセッションのＩＤおよび前記ＰＤＵセッションのうち関連ＱｏＳフローのＩＤとＥＰＳベアラーのＩＤのマッピング関係である。前記プログラムがプロセッサによって実行されると、さらに、ＵＰＦエンティティを選択するステップと、データ転送用のトンネルエンドポイントＩＤをＥＰＳベアラーに割り当て、前記ＵＰＦエンティティと５ＧシステムのＮＧ  ＲＡＮとのＰＤＵセッショントンネルを設定するステップと、前記転送データの受信が行われるＰＤＵセッションのＩＤおよび前記ＰＤＵセッションのうち関連ＱｏＳフローのＩＤとＥＰＳベアラーのＩＤのマッピング関係に基づいて、前記ＥＰＳベアラーを前記転送データの受信が行われるＰＤＵセッションに対応する転送トンネルにバインディングし、前記ＵＰＦエンティティによって、前記ＥＰＳベアラーのトンネルから受信したパケットに正しいＱｏＳフローのＩＤを付与して正しいＰＤＵセッションの転送トンネルに転送可能にするステップとを実現する。
【０２１２】
コンピュータ読み取り可能な媒体は、永久的媒体や非永久的媒体、リムーバブル媒体やノンリムーバブル媒体を含み、あらゆる方法や技術によって情報の記憶が実現される。情報は、コンピュータ読み取り可能な指令、データ構造、プログラムのモジュールまたはほかのデータである。コンピュータデバイスからアクセス可能な情報を記憶可能なコンピュータ読み取り可能な記憶媒体の例は、ＰＲＡＭ、ＳＲＡＭ、ＤＲＡＭ、ほかのタイプのＲＡＭ、ＲＯＭ、ＥＥＰＲＯＭ、フラッシュメモリ記憶媒体またはほかの内部記憶技術、ＣＤ−ＲＯＭ、ＤＶＤまたはほかの光学的記憶媒体、磁気カセット式磁気テープ、磁気ディスクまたはほかの磁気記憶デバイスまたはほかの非伝送媒体を含むが、それらに限られない。本明細書での規定に基づき、コンピュータ読み取り可能な媒体は、変調されたデータ信号や搬送波など、一時的なコンピュータ読み取り可能な媒体（ｔｒａｎｓｉｔｏｒｙ  ｍｅｄｉａ）を含まない。
【０２１３】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０２１４】
上述した本開示の実施例の番号は、単に記載用のものであり、実施例の優劣を代表しない。
【０２１５】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的または従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末機器（携帯電話、コンピュータ、サーバー、空調機またはネットワークデバイスなど）に実行させるいくつかの指令を含む。
【０２１６】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
0006945658.tif 000002
【図２】
0006945658.tif 000003
【図３】
0006945658.tif 000004
【図４】
0006945658.tif 000005
【図５】
0006945658.tif 000006
【図６】
0006945658.tif 000007
【図７】
0006945658.tif 000008
【図８】
0006945658.tif 000009
【図９】
0006945658.tif 000010
【図１０】
0006945658.tif 000011
【図１１】
0006945658.tif 000012
【図１２】
0006945658.tif 000013